(57)【特許請求の範囲】
【請求項１】
周囲に複数の図柄が付された複数の回転リールと、
すべての回転リールの回転を開始させるスタートスイッチと、
各回転リールにそれぞれ対応して設けられ、対応する回転リールの回転を停止させるストップスイッチと、
スタートスイッチの操作を契機として、複数の役のいずれかに当選したか否かの役抽選を行う役抽選手段と、
役抽選の結果及びストップスイッチが操作された際の対応する回転リールの回転位置に基づいて回転リールの停止制御を行う停止制御手段と、を備え、
１回の遊技を開始するためにベット可能な遊技媒体の数として、少なくとも第１のベット数及び第２のベット数が定められており、役抽選により当選した役に対応する図柄の組み合わせが有効入賞ライン上に停止表示されたことを条件に、所定の利益を遊技者に付与する遊技機であって、
遊技として、所定の図柄の組み合わせが有効入賞ライン上に停止表示されることを契機に開始され、予め定められた払い出し個数を超えた遊技媒体が払い出されることにより終了する特別遊技を備えるとともに、特別遊技として、第１の特別遊技を備え、
役抽選手段は、
第１の特別遊技中における１回の遊技が第１のベット数により行われる場合には、主として、所定の操作態様でストップスイッチが操作されることにより対応する図柄の組み合わせを所定の有効入賞ライン上に停止表示させることが可能な役である択一役を抽選し、  この択一役は、複数の役が当選可能な重複役であり、所定の操作態様でストップスイッチが操作されることにより対応する図柄の組み合わせを所定の有効入賞ライン上に停止表示させた時の払い出し枚数が多い役と、所定の操作態様でストップスイッチが操作されなかったことにより対応する図柄の組み合わせを所定の有効入賞ライン上に停止表示させた時の払い出し枚数が少ない役とからなり、
第１の特別遊技中における１回の遊技が第２のベット数により行われる場合には、主として、ストップスイッチの操作態様によらずに対応する図柄の組み合わせを有効入賞ライン上に停止表示させることが可能な役である非択一役を抽選するように形成され、
この非択一役は、前記択一役の内で払い出し枚数が多い役での払い出し枚数と、払い出し枚数が少ない役での払い出し枚数との間の払い出し枚数とされ、
特別遊技中の１回の遊技あたりに払い出される遊技媒体の個数の期待値を１回の遊技のベット数で除した値を出玉率とし、
第２のベット数が第１のベット数よりも大きく、かつ、第２のベット数により第１の特別遊技を行った場合における出玉率が、第１のベット数により第１の特別遊技を行った場合における出玉率以上となるように設定されていることを特徴とする遊技機。
【請求項２】
特別遊技として、第１の特別遊技と異なる第２の特別遊技を備えるとともに、
役抽選手段は、
第２の特別遊技中における１回の遊技が第１のベット数により行われる場合には、主として、択一役を抽選するように形成され、
第２の特別遊技中に、択一役に当選したときに、所定の操作態様を遊技者に報知する操作態様報知手段を備えていることを特徴とする請求項１記載の遊技機。
【請求項３】
第１の特別遊技中に操作されると第２のベット数に係る遊技媒体をベットし、第２の特別遊技中に操作されると第１のベット数に係る遊技媒体をベット可能なベットスイッチを備えていることを特徴とする請求項２記載の遊技機。
【発明の詳細な説明】
【技術分野】
【０００１】
この発明は、遊技機に関し、詳しくは、１回の遊技を開始するためにベット可能な遊技媒体の数として、複数種類のベット数が定められている遊技機に関するものである。
【背景技術】
【０００２】
従来、この種の遊技機、たとえばスロットマシンとしては、遊技媒体としての遊技メダル１枚のベット、遊技メダル２枚のベット又は遊技メダル３枚のベットにより、１回の遊技を開始することが可能なものが知られている。
また、スロットマシンとしては、遊技として、所定の図柄の組み合わせが有効入賞ライン上に停止表示されることを契機に開始され、予め定められた払い出し枚数を超えた遊技メダルが払い出されることにより終了する特別遊技を備えているものが知られている。
このようなスロットマシンは、下記の特許文献１に開示されている。
【先行技術文献】
【特許文献】
【０００３】
【特許文献１】特開２００８−１３６５８０号公報
【発明の概要】
【発明が解決しようとする課題】
【０００４】
上述のようなスロットマシンでは、遊技者は、遊技メダル１枚のベット、遊技メダル２枚のベット又は遊技メダル３枚のベットのいずれかにより、特別遊技における１回の遊技を行うことができることとなる。
ここで、上述の如く、特別遊技は、予め定められた払い出し枚数（たとえば、３４５枚）を超えた遊技メダルが払い出されることにより終了する。すると、たとえば、いずれのベット数でも、特別遊技中に当選可能な役の抽選確率が同一であって、かつ、当該役に対応する図柄の組み合わせを停止表示させることができるようになっている場合には、獲得枚数（払い出し枚数−ベット数）を多くするために、遊技者は、できる限り少ない遊技メダルのベット数により１回の遊技を行うこととなる。これにより、特別遊技の出玉率が高くなってしまい、出玉率を適切に制御できないという問題が生じていた。
【０００５】
また、前記役に対応する図柄の組み合わせが停止表示された際に遊技者に払い出される遊技メダルの枚数が少ない場合には、予め定められた払い出し枚数に到達するために多くの回数の遊技を行わなければならず、特別遊技の開始から終了までの時間が長くなってしまい、スムーズに特別遊技を終了させることができないという問題も生じていた。
さらに、近年においては、特別遊技として、所定の操作態様でストップスイッチが操作されることにより対応する図柄の組み合わせを有効入賞ライン上に停止表示させることが可能な役を主として抽選し、当該役に当選した場合に前記所定の操作態様を遊技者に報知するように形成された特別遊技（いわゆるスーパーＢＢ遊技）と、同役を主として抽選するものの、当該役に当選しても前記所定の操作態様を遊技者に報知しないように形成された特別遊技（いわゆるノーマルＢＢ遊技）とを搭載したスロットマシンが知られている。このようなスロットマシンは、前記ノーマルＢＢ遊技を行う場合に、前記役に当選しかつ前記所定の操作態様によりストップスイッチが操作されると、前記役に対応する図柄の組み合わせが有効入賞ライン上に停止表示されて所定枚数（たとえば、１５枚）の遊技メダルが払い出されるものの、前記所定の操作態様とは異なる操作態様でストップスイッチが操作されると、前記役とは異なる役に対応する図柄の組み合わせが有効入賞ライン上に停止表示され、前記所定枚数より少ない枚数（たとえば、５枚）の遊技メダルが払い出されるように形成されていることが多い。そして、このように形成されたスロットマシンで、前記ノーマルＢＢ遊技を行う場合には、前記所定の操作態様が報知されないことから、適切な操作態様でストップスイッチが操作されないことが多くなるため、特に、上述のような問題が顕著であった。
【０００６】
そこで、本願発明は、上述した事情によりなされたものであり、特別遊技の出玉率が高くなってしまうのを防止しつつ、特別遊技が終了するまでの時間を短縮することが可能な遊技機を提供することを目的とする。
【課題を解決するための手段】
【０００７】
請求項に記載された発明は、上述した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、周囲に複数の図柄46が付された複数の回転リール40と、すべての回転リール40の回転を開始させるスタートスイッチ18と、各回転リール40にそれぞれ対応して設けられ、対応する回転リール40の回転を停止させるストップスイッチ19と、スタートスイッチ18の操作を契機として、複数の役のいずれかに当選したか否かの役抽選を行う役抽選手段80と、役抽選の結果及びストップスイッチ19が操作された際の対応する回転リール40の回転位置に基づいて回転リール40の停止制御を行う停止制御手段160と、を備え、１回の遊技を開始するためにベット可能な遊技媒体の数として、少なくとも第１のベット数及び第２のベット数が定められており、役抽選により当選した役に対応する図柄46の組み合わせが有効入賞ライン上に停止表示されたことを条件に、所定の利益を遊技者に付与する遊技機であって、遊技として、所定の図柄46の組み合わせが有効入賞ライン上に停止表示されることを契機に開始され、予め定められた払い出し個数を超えた遊技媒体が払い出されることにより終了する特別遊技を備えるとともに、特別遊技として、第１の特別遊技を備え、役抽選手段80は、第１の特別遊技中における１回の遊技が第１のベット数により行われる場合には、主として、所定の操作態様でストップスイッチ19が操作されることにより対応する図柄46の組み合わせを所定の有効入賞ライン上に停止表示させることが可能な役である択一役を抽選し、この択一役は、複数の役が当選可能な重複役であり、所定の操作態様でストップスイッチ19が操作されることにより対応する図柄46の組み合わせを所定の有効入賞ライン上に停止表示させた時の払い出し枚数が多い役と、所定の操作態様でストップスイッチ19が操作されなかったことにより対応する図柄46の組み合わせを所定の有効入賞ライン上に停止表示させた時の払い出し枚数が少ない役とからなり、第１の特別遊技中における１回の遊技が第２のベット数により行われる場合には、主として、ストップスイッチ19の操作態様によらずに対応する図柄46の組み合わせを有効入賞ライン上に停止表示させることが可能な役である非択一役を抽選するように形成され、この非択一役は、前記択一役の内で払い出し枚数が多い役での払い出し枚数と、払い出し枚数が少ない役での払い出し枚数との間の払い出し枚数とされ、特別遊技中の１回の遊技あたりに払い出される遊技媒体の個数の期待値を１回の遊技のベット数で除した値を出玉率とし、第２のベット数が第１のベット数よりも大きく、かつ、第２のベット数により第１の特別遊技を行った場合における出玉率が、第１のベット数により第１の特別遊技を行った場合における出玉率以上となるように設定されていることを特徴とする。
【０００８】
ここで、「１回の遊技を開始するためにベット可能な遊技媒体の数」は、第１のベット数及び第２のベット数の２種類に限らず、３種類以上のベット数を定めてもよい。
また、「択一役」としては、ストップスイッチ19を所定の操作順序で操作した場合にのみ、対応する図柄46の組み合わせを所定の有効入賞ライン上に停止表示させることが可能な役や、ストップスイッチ19を所定のタイミングで操作した場合（すなわち、回転リール40が所定の回転位置にあるときにストップスイッチ19を操作した場合）にのみ、対応する図柄46の組み合わせを所定の有効入賞ライン上に停止表示させることが可能な役等を含む。さらに、ストップスイッチ19を、所定のタイミング及び所定の操作順序で操作した場合にのみ、対応する図柄46の組み合わせを所定の有効入賞ライン上に停止表示させることが可能な役としてもよい。
【０００９】
なお、「所定の有効入賞ライン」とは、一の有効入賞ラインのみならず、複数の有効入賞ラインをも含む意味である。すなわち、ストップスイッチ19が所定の操作態様で操作された場合には、対応する図柄46の組み合わせを一の有効入賞ライン上に停止表示させることができるように設定することもできるし、複数の有効入賞ライン上に停止表示させることができるように設定することもできる。
また、「非択一役」は、いかなるタイミング及びいかなる操作順序でストップスイッチ19を操作しても、対応する図柄46の組み合わせを有効入賞ライン上に停止表示させることが可能となるように、回転リール40の図柄配列や回転リール40の停止制御等が設定された役である。
【００１０】
なお、択一役に対応する図柄46の組み合わせ、及び、非択一役に対応する図柄46の組み合わせは、同一であっても異なっていてもよい。
また、本発明に係る遊技機は、第２のベット数が第１のベット数よりも大きく、かつ、第２のベット数により第１の特別遊技を行った場合における出玉率が、第１のベット数により第１の特別遊技を行った場合における出玉率以上となるように設定されている。
ここで、「出玉率」とは、特別遊技中の１回の遊技あたりに払い出される遊技媒体の個数の期待値を１回の遊技のベット数で除した値である。なお、出玉率は、特別遊技中に払い出される遊技媒体の総数の期待値を、特別遊技中にベットされる遊技媒体の総数の期待値で除しても求めることができる。
【００１１】
すなわち、出玉率とは、特別遊技中において、ベットする遊技媒体１個あたりにつき、遊技者に対して払い出される遊技媒体の個数を意味する。本発明に係る遊技機は、第２のベット数が第１のベット数よりも大きく設定されているため、第１のベット数よりも第２のベット数で第１の特別遊技を行ったほうが、第１の特別遊技中の１回の遊技あたりに払い出される遊技媒体の個数の期待値が大きくなる。
本発明によれば、第１の特別遊技における１回の遊技を、第１のベット数により行うと、主として、所定の操作態様でストップスイッチ19が操作されることにより対応する図柄46の組み合わせを所定の有効入賞ライン上に停止表示させることが可能な択一役が抽選される。すると、遊技者は、択一役に当選した場合に、当該択一役に対応する図柄46の組み合わせを所定の有効入賞ライン上に停止表示させることができるストップスイッチ19の操作態様が分からないため、勘に頼ってストップスイッチ19を操作することとなる。したがって、遊技媒体の所定個数の払い出し（所定の利益）を適切に受けることができず、第１の特別遊技を速やかに消化することが困難となる。
【００１２】
これに対して、第１の特別遊技における１回の遊技を、第２のベット数により行うと、主として、ストップスイッチ19の操作態様によらずに対応する図柄46の組み合わせを有効入賞ライン上に停止表示させることが可能な非択一役が抽選される。すると、遊技者は、非択一役が当選した場合には、いかなる操作態様でストップスイッチ19を操作しても、当該非択一役に対応する図柄46の組み合わせを有効入賞ライン上に停止表示させることができる。したがって、遊技媒体の所定個数の払い出しを安定して受けることができ、第１の特別遊技を速やかに消化することができるため、第１の特別遊技が終了するまでの時間を短縮することができるのである。
【００１３】
また、本発明によれば、第２のベット数が第１のベット数よりも大きく、かつ、第２のベット数により第１の特別遊技を行った場合における出玉率が、第１のベット数により第１の特別遊技を行った場合における出玉率以上となるように設定されている。すなわち、第１のベット数よりも第２のベット数で第１の特別遊技を行うほうが、１回の遊技あたりに払い出される遊技媒体の個数が多く、かつ、実際に獲得できる遊技媒体の個数も多くなる。したがって、遊技者に対して、積極的に第２のベット数で第１の特別遊技を行わせることができるため、より効果的に、第１の特別遊技が終了するまでの時間の短縮化を図ることができるのである。
【００１４】
さらに、１回の遊技あたりの出玉率が上述のような関係で設定されることから、第１のベット数により遊技を行った場合における出玉率があまり高くならないように調整すれば、第２のベット数により遊技を行った場合における出玉率はそれ以下に設定されるため、第１の特別遊技の出玉率が高くなりすぎるのを適切に防止することができるのである。
（請求項２）
請求項２記載の発明は、請求項１記載の発明の特徴に加え、特別遊技として、第１の特別遊技と異なる第２の特別遊技を備えるとともに、役抽選手段80は、第２の特別遊技中における１回の遊技が第１のベット数により行われる場合には、主として、択一役を抽選するように形成され、第２の特別遊技中に、択一役に当選したときに、所定の操作態様を遊技者に報知する操作態様報知手段210を備えていることを特徴とする。
【００１５】
本発明によれば、第２の特別遊技における１回の遊技を、第１のベット数により行うと、主として、択一役が抽選されるとともに、当該択一役に当選したときは、操作態様報知手段210により、当該択一役に対応する図柄46の組み合わせを所定の有効入賞ライン上に停止表示させるための所定の操作態様が報知される。そして、報知された操作態様でストップスイッチ19を操作することにより、当該択一役に対応する図柄46の組み合わせを所定の有効入賞ライン上に停止表示させることができる。したがって、遊技媒体の所定個数の払い出しを安定して受けることができるため、第２の特別遊技も速やかに消化することができるのである。これにより、第１の特別遊技及び第２の特別遊技のいずれにおいても、当該遊技を、より効果的かつ有利に消化するための適切なベット数で行うことができることとなる。
【００１６】
（請求項３）
請求項３記載の発明は、請求項２記載の発明の特徴に加え、第１の特別遊技中に操作されると第２のベット数に係る遊技媒体をベットし、第２の特別遊技中に操作されると第１のベット数に係る遊技媒体をベット可能なベットスイッチ（最適ベットスイッチ16b）を備えていることを特徴とする。
本発明によれば、単に前記ベットスイッチを操作することで、各特別遊技に応じた適切なベット数分の遊技媒体がベットされる。すなわち、実行中の特別遊技が第１の特別遊技であるか第２の特別遊技であるかを意識して遊技媒体のベットをする必要が無いため、極めてスムーズに特別遊技を進行させることができるのである。
【発明の効果】
【００１７】
本発明は、以上のように構成されているので、特別遊技の出玉率が高くなってしまうのを防止しつつ、特別遊技が終了するまでの時間を短縮することが可能な遊技機を提供することができる。
【図面の簡単な説明】
【００１８】
【図１】本発明の第１の実施の形態であって、スロットマシンを示す外観正面図である。
【図２】本発明の第１の実施の形態であって、入賞ラインを示した図柄表示窓の正面図である。
【図３】本発明の第１の実施の形態であって、スロットマシンの制御装置の入力及び出力の概略を示すブロック図である。
【図４】本発明の第１の実施の形態であって、回転リールの図柄配列を示す図である。
【図５】本発明の第１の実施の形態であって、役を説明した説明図である。
【図６】本発明の第１の実施の形態であって、役抽選テーブルの概念図である。
【図７】本発明の第１の実施の形態であって、ＢＢ振り分けテーブルの概念図である。
【図８】本発明の第１の実施の形態であって、ストップスイッチの操作順序と有効入賞ライン上に停止表示される役との関係を説明した説明図である。
【図９】本発明の第１の実施の形態であって、スロットマシンの動作の概略を示すフローである。
【図１０】本発明の第１の実施の形態であって、スロットマシンの動作のうち、ベット処理の概略を示すフローである。
【図１１】本発明の第１の実施の形態であって、スロットマシンの動作のうち、役抽選処理の概略を示すフローである。
【図１２】本発明の第１の実施の形態であって、スロットマシンの動作のうち、テーブル取得処理の概略を示すフローである。
【図１３】本発明の第１の実施の形態であって、スロットマシンの動作のうち、ＢＢ振り分け処理の概略を示すフローである。
【図１４】本発明の第１の実施の形態であって、スロットマシンの動作のうち、報知処理の概略を示すフローである。
【図１５】本発明の第２の実施の形態であって、回転リールの図柄配列を示す図である。
【図１６】本発明の第２の実施の形態であって、役を説明した説明図である。
【図１７】本発明の第２の実施の形態であって、役抽選テーブルの概念図である。
【発明を実施するための形態】
【００１９】
以下、本発明の実施の形態を、遊技機としてスロットマシンを例に、図面を参照しつつ説明する。
（第１の実施の形態）
（スロットマシン10の概要）
本形態に係るスロットマシン10は、遊技媒体として円板状の遊技メダルを使用するものである。このスロットマシン10は、図１に示すように、正面側が開口する方形箱状の筐体11と、この筐体11の正面開口を開閉自在な前扉12とを有している。
筐体11には、スロットマシン10を制御するための制御装置20、３個の回転リール40を備えたリールユニット30、遊技メダルを貯留し、かつ、役に対応する図柄46の組み合わせが停止表示された時等に遊技メダルを払い出すためのホッパーユニット35、スロットマシン10に備えられた各種装置に電力を供給するための電源ユニット等が設置されている。
【００２０】
リールユニット30は、特に図示していないが、支持枠に固定された３個の駆動モータ（ステッピングモータ）と、当該駆動モータのモータ軸に軸着された３個の回転リール40とを有している。回転リール40は、左側に位置する左リール43と、右側に位置する右リール45と、左リール43及び右リール45の間に位置する中リール44とからなる。これらの回転リール40の外周面には、図４に示すように、「赤７」「青７」「ＢＡＲ」「スイカ」「ベル」「赤チェリー」「青チェリー」「リプレイ」等の複数種類の図柄46が所定の配列で計２１個表示されている。また、各回転リール40の内周側には、特に図示していないが、支持枠に設けられたインデックスセンサにより検知されるスタートインデックスが設けられている。そして、各回転リール40が回転を開始しスタートインデックスをインデックスセンサが検知した後、駆動モータから出力されるパルス信号に基づいて、ストップスイッチ19が操作された時点における回転リール40の回転位置を検出し、所定位置で回転リール40を停止させることができるようになっている。
【００２１】
前扉12の中央上部には、遊技者に向かって臨み、かつ、３個の回転リール40の図柄46を視認可能な略四角窓状の図柄表示窓13が形成されている。この図柄表示窓13は、３個すべての回転リール40の回転が停止した際に、縦３列（上段、中段、下段）横３行の合計９個の図柄46を視認可能となるように形成されている。
また、このスロットマシン10には、図２に示すように、左リール43、中リール44及び右リール45が停止した状態で、各回転リール40ごとの、図柄表示窓13内におけるいずれか一の図柄46の表示位置（上段、中段、下段）を結んで構成される計４本の入賞ラインが形成されている。具体的には、これらの入賞ラインは、図２に示すように、各回転リール40の上段の表示位置を一直線に結んだ上段ライン、左リール43の上段の表示位置と中リール44の上段の表示位置と右リール45の中段の表示位置とを結んだ第１変則ライン、左リール43の上段の表示位置と中リール44の上段の表示位置と右リール45の下段の表示位置とを結んだ第２変則ライン、及び、左リール43の上段の表示位置と中リール44の中段の表示位置と右リール45の中段の表示位置とを結んだ第３変則ラインから構成されている。
【００２２】
また、前扉12には、遊技者に入賞等を音や光や映像等で報知する演出装置26が設けられており、この演出装置26としては、図柄表示窓13の周囲に形成されたランプ32、前扉12の正面下部に設けられたスピーカ33、及び、図柄表示窓13の上方に設けられた画像表示装置34等が設けられている。
また、前扉12における図柄表示窓13の下方には、スロットマシン10を作動させるための操作スイッチ類が設けられた操作部が設けられており、操作部の右端には、遊技メダルのベット等を行うべく、遊技メダルを直接投入することが可能なメダル投入口14が設けられている。
【００２３】
また、前扉12の裏側であってメダル投入口14の下方には、遊技メダルの真偽を判定するためのメダルセレクタ（特に図示しておらず）、及び、メダルセレクタにより適正と判断された遊技メダルを検知するための投入スイッチ15が設けられている。
操作スイッチとしては、スロットマシン10に電子的に貯留（クレジット）されている遊技メダルの数を減じて、遊技メダルのベットに代えるためのベットスイッチ、クレジットされている遊技メダルを払い出すための精算スイッチ17、３個すべての回転リール40の回転を開始させるためのスタートスイッチ18、各回転リール40にそれぞれ対応し、対応する回転リール40の回転を停止させるためのストップスイッチ19（以下、左リール43に対応するストップスイッチ19を左スイッチ、中リール44に対応するストップスイッチ19を中スイッチ、右リール45に対応するストップスイッチ19を右スイッチとする）が設けられている。
【００２４】
また、本形態に係るスロットマシン10には、ベットスイッチとして、遊技メダル１枚のベットに代えるためのシングルベットスイッチ16aと、後述する遊技に応じた最適な枚数のベットに代えるための最適ベットスイッチ16bとを有している。なお、ベットスイッチは上述のものに限定されるのではなく、遊技を開始するためにベット可能な最大枚数（たとえば、３枚）のベットに代えることができるマックスベットスイッチ等を備えていてもよい。
なお、クレジットされている遊技メダルの数は、図柄表示窓13の下側に設けられた数値表示部31に表示され、ベットスイッチを操作するたびに数値表示部31に表示されている数値が減算表示されるようになっている。
【００２５】
また、前扉12の下部には、ホッパーユニット35から遊技者に遊技メダルが払い出すためのメダル払い出し口47が形成されている。
そして、本形態に係るスロットマシン10では、ベットスイッチの操作又は遊技メダルの投入により、１回の遊技を開始するための所定枚数の遊技メダルがベットされると、すべての入賞ラインが有効化される。その後、スタートスイッチ18が操作されると、回転リール40の回転が開始されるとともに、役抽選が行われる。そして、ストップスイッチ19が操作されると、役抽選の結果に基づいて回転リール40の回転が停止され、有効化された入賞ライン（以下、有効入賞ラインとする）のいずれかに、役に対応する図柄46の組み合わせが停止したか否かが判断され、停止した場合には役に応じた利益（所定枚数の遊技メダルの払い出しや、特別遊技（ボーナス遊技と同義）としてのＢＢ遊技の実行等）が付与されるようになっている。
【００２６】
また、本形態に係るスロットマシン10では、遊技ごとに、１回の遊技を開始するためにベット可能な遊技メダルの数が定められている。具体的には、本形態に係るスロットマシン10は、遊技として、通常の遊技である通常遊技、及び、通常遊技と異なる特別遊技としてのＢＢ遊技を備えている。また、ＢＢ遊技として、第１の特別遊技としてのノーマルＢＢ遊技、第２の特別遊技としてのスーパーＢＢ遊技を備えている。そして、通常遊技では、遊技メダル３枚のベットにより、１回の遊技を開始できるようになっている。また、ＢＢ遊技では、ノーマルＢＢ遊技及びスーパーＢＢ遊技のいずれにおいても、第１のベット数である遊技メダル２枚のベット、又は、第２のベット数である遊技メダル３枚のベットのいずれかにより、１回の遊技を開始できるようになっている。
【００２７】
なお、後で詳述するが、本形態に係るスロットマシン10では、ノーマルＢＢ遊技は、１回の遊技を、遊技メダル２枚のベットよりも遊技メダル３枚のベットで行うほうが、ノーマルＢＢ遊技中に払い出される遊技メダルの期待値が大きく、かつ、ノーマルＢＢ遊技が開始されてから終了するまでの時間が短くなる。したがって、ノーマルＢＢ遊技では遊技メダル３枚のベットが最適といえるため、ノーマルＢＢ遊技中に最適ベットスイッチ16bが操作されると、３枚の遊技メダルがベットされるようになっている。
これに対して、スーパーＢＢ遊技は、１回の遊技を、遊技メダル３枚のベットよりも遊技メダル２枚のベットで行うほうが、スーパーＢＢ遊技中に払い出される遊技メダルの期待値が大きくなる。したがって、スーパーＢＢ遊技では遊技メダル２枚のベットが最適といえるため、スーパーＢＢ遊技中に最適ベットスイッチ16bが操作されると、２枚の遊技メダルがベットされるようになっている。
【００２８】
（制御装置20）
制御装置20は、図３に示すように、主として、回転リール40の回転及び停止の制御等、遊技を制御する遊技制御装置21と、この遊技制御装置21からの信号を受けて、主として、遊技の演出を制御する演出制御装置22とを備えている。
遊技制御装置21及び演出制御装置22はいずれも、ＣＰＵ、ＲＯＭ、ＲＡＭ、及び、Ｉ／Ｏ等、種々の電子部品を搭載した基板により構成されている。そして、ＣＰＵがＲＯＭに記憶されているデータやプログラムを読み込むことで、遊技や演出を制御するための各種手段として機能する。
【００２９】
なお、遊技制御装置21と演出制御装置22との間における信号の出力は、遊技制御装置21から演出制御装置22への一方へ向けてのみ行われ、演出制御装置22から遊技制御装置21へ向けては行われないようになっている。
（遊技制御装置21）
遊技制御装置21は、上述の如く、スロットマシン10により行われる遊技を制御するためのものである。そして、この遊技制御装置21は、図３に示すように、ベット数カウンタ60、遊技状態記憶手段70、役抽選手段80、ＢＢ遊技振り分け手段90、リール制御手段150、停止図柄判定手段190、状態移行手段195の各手段として機能する。また、遊技制御装置21には、図３に示すように、入力手段として、投入スイッチ15、シングルベットスイッチ16a、最適ベットスイッチ16b、精算スイッチ17、スタートスイッチ18及びストップスイッチ19等が接続され、出力手段として、リールユニット30、ホッパーユニット35及び数値表示部31等が接続されている。なお、遊技制御装置21が機能する手段、遊技制御装置21に接続される入力手段や出力手段は、これらに限定されるものではない。
【００３０】
また、本形態に係るスロットマシン10は、上述の如く、遊技として、通常遊技、第１の特別遊技としてのノーマルＢＢ遊技、及び、第２の特別遊技としてのスーパーＢＢ遊技を備えている。ノーマルＢＢ遊技及びスーパーＢＢ遊技はいずれも、後述する赤７ＢＢ役又は青７ＢＢ役に対応する図柄46の組み合わせが有効入賞ライン上に停止表示されることを契機に開始され、予め定められた払い出し枚数（３４５枚）を超えた遊技メダルが払い出されることにより終了するように設定されている。
なお、遊技としては、上述のものに限定されず、所定の図柄46の組み合わせが有効入賞ライン上に停止表示されることを契機に開始され、後述する小役に対応する図柄46の組み合わせが有効入賞ライン上に停止表示された回数が予め定められた表示回数に達したこと、又は、遊技の回数が予め定められた終了回数に達したことのいずれかを契機に終了するＲＢ遊技、当選した役に関する情報（役に対応する図柄46の組み合わせを有効入賞ライン上に停止表示させるためのストップスイッチ19の操作順序や操作タイミング等）を報知するＡＴ遊技（アシストタイム遊技）、後述するリプレイ役（再遊技役）の当選確率を、通常遊技中における当該役の当選確率と異なるように設定したＲＴ遊技（リプレイタイム遊技）、ＡＴ遊技及びＲＴ遊技を組み合わせたＡＲＴ遊技（アシストリプレイタイム遊技）等を備えることもできる。
【００３１】
また、本形態に係るスロットマシン10では、図５に示すように、役として、所定枚数の遊技メダルが払い出される小役と、遊技メダルの払い出しは無いが遊技メダルを新たに投入することなく前回の遊技と同じ条件で再度の遊技を行えるリプレイ役と、遊技メダルの払い出しは無いがノーマルＢＢ遊技又はスーパーＢＢ遊技のいずれかの特別遊技が開始されるボーナス役とを備えている。
また、本形態に係るスロットマシン10では、小役として、所定の操作順序（操作態様）でストップスイッチ19が操作されることにより対応する図柄46の組み合わせを所定の有効入賞ライン上に停止表示させることが可能な択一役と、ストップスイッチ19の操作順序（操作態様）によらずに対応する図柄46の組み合わせを有効入賞ライン上に停止表示させることが可能な役である非択一役とを備えている。
【００３２】
すなわち、択一役に当選した場合には、所定の操作順序でストップスイッチ19が操作されると、当該択一役に対応する図柄46の組み合わせが所定の有効入賞ライン（上段ライン、第１変則ライン及び第２変則ライン）上に停止表示される。これに対して、所定の操作順序とは異なる操作順序でストップスイッチ19が操作されると、当該択一役に対応する図柄46の組み合わせは、前記所定の有効入賞ライン上に停止表示されない。なお、本形態に係るスロットマシン10では、上述の異なる操作順序でストップスイッチ19が操作された場合には、前記所定の有効入賞ラインの代わりに、異なる有効入賞ライン（第３変則ライン）上に、当該択一役に対応する図柄46の組み合わせが停止表示されるように設定されている。
【００３３】
また、非択一役に当選した場合には、いずれの操作順序でストップスイッチ19が操作されても、当該非択一役に対応する図柄46の組み合わせが、４本の有効入賞ラインのうち、いずれか一の有効入賞ライン上に停止表示されるように設定されている。
具体的には、小役としては、図５に示すように、択一役としてのベル役、非択一役としての特殊チェリー役、スイカ役、赤チェリー役及び青チェリー役を備えている。
ベル役は、「ベル」「リプレイ」「ＡＮＹ」（「ＡＮＹ」はいずれの図柄46であってもよいことを意味する）の図柄46の組み合わせに対応し、特殊チェリー役は、「リプレイ」「リプレイ」「赤チェリー」の図柄46の組み合わせに対応し、スイカ役は、「スイカ」「スイカ」「スイカ」の図柄46の組み合わせに対応し、赤チェリー役は、「赤チェリー」「ＡＮＹ」「ＡＮＹ」の図柄46の組み合わせに対応し、青チェリー役は、「青チェリー」「ＡＮＹ」「ＡＮＹ」の図柄46の組み合わせに対応する。そして、各小役に対応する図柄46の組み合わせがいずれかの有効入賞ライン上に停止表示されることにより、当該小役に応じた所定枚数の遊技メダルが払い出される。たとえば、「スイカ」「スイカ」「スイカ」の図柄46の組み合わせがいずれかの有効入賞ライン上に停止表示されることにより、スイカ役に応じた所定枚数（本形態では１２枚）の遊技メダルが払い出される（図５参照）。
【００３４】
また、リプレイ役は、図５に示すように、「リプレイ」「リプレイ」「リプレイ」の図柄46の組み合わせに対応する。そして、いずれかの有効入賞ライン上にリプレイ役に対応する図柄46の組み合わせが停止表示されることにより、遊技メダルを新たに投入することなく前回の遊技と同じ条件で再度遊技を行うことができる。
また、ボーナス役としては、図５に示すように、赤７ＢＢ役及び青７ＢＢ役を備えている。
赤７ＢＢ役は、「赤７」「赤７」「赤７」の図柄46の組み合わせに対応し、青７ＢＢ役は、「青７」「青７」「青７」の図柄46の組み合わせに対応する。そして、赤７ＢＢ役又は青７ＢＢ役に対応する図柄46の組み合わせが有効入賞ライン上に停止表示されることにより、ノーマルＢＢ遊技又はスーパーＢＢ遊技のいずれかの特別遊技が開始される。
【００３５】
なお、本形態に係るスロットマシン10では、ボーナス役は、遊技メダルの払い出しを行うことなく、ボーナス遊技が開始されるようになっているが、所定枚数（たとえば１５枚）の遊技メダルを払い出した後に、特別遊技が開始されるようにしてもよい。
（ベット数カウンタ60）
ベット数カウンタ60は、ベットされている遊技メダルの枚数を記憶するためのものである。
すなわち、ベット数カウンタ60の値が「０」の場合には、遊技メダルがベットされておらず、ベット数カウンタ60の値が「１」以上の場合には、その値の分だけ遊技メダルがベットされていることとなる。
【００３６】
また、このベット数カウンタ60の値は、遊技メダルの投入、又は、シングルベットスイッチ16a若しくは最適ベットスイッチ16bの操作により、変更されるようになっている。
具体的には、いずれの遊技（通常遊技、ノーマルＢＢ遊技、スーパーＢＢ遊技）中においても遊技メダルが１枚投入されると、ベット数カウンタ60の値は、１回の遊技を開始可能となる遊技メダルのベット数「３」を上限として、１インクリメントされるようになっている。なお、ベット数カウンタ60の値が「３」のときに、さらに遊技メダルが投入されると、所定の上限枚数（たとえば５０枚）を上限として、クレジットされている遊技メダルの数が１インクリメントされることとなる。
【００３７】
また、上述のいずれの遊技中においてもシングルベットスイッチ16aが１回操作されると、ベット数カウンタ60の値は、前記ベット数「３」を上限として、クレジットされている遊技メダルの数を１減じた上で１インクリメントされるようになっている。なお、クレジットされている遊技メダルの数が「０」であったときは、ベット数カウンタ60の値はインクリメントされない。
これに対して、通常遊技又はノーマルＢＢ遊技のいずれかの遊技中に最適ベットスイッチ16bが操作されると、ベット数カウンタ60の値は「３」となる。たとえば、最適ベットスイッチ16bが操作されたときのベット数カウンタ60の値が「０」であった場合には、クレジットされている遊技メダルの数が「３」以上となっていれば、当該遊技メダルの数を「３」減じて、ベット数カウンタ60の値が「３」に変更される。また、最適ベットスイッチ16bが操作されたときのベット数カウンタ60の値が「２」であった場合には、クレジットされている遊技メダルの数が「１」以上となっていれば、当該遊技メダルの数を「１」減じて、ベット数カウンタ60の値が「３」に変更される。なお、最適ベットスイッチ16bが操作されたときのベット数カウンタ60の値が「３」であった場合には、当該値は変更されない。
【００３８】
また、スーパーＢＢ遊技中に最適ベットスイッチ16bが操作されると、ベット数カウンタ60の値は「２」となる。たとえば、最適ベットスイッチ16bが操作されたときのベット数カウンタ60の値が「０」であった場合には、クレジットされている遊技メダルの数が「２」以上となっていれば、当該遊技メダルの数を「２」減じて、ベット数カウンタ60の値が「２」に変更される。また、最適ベットスイッチ16bが操作されたときのベット数カウンタ60の値が「３」であった場合には、当該値が「２」に変更された上で、クレジットされている遊技メダルの数が１インクリメントされる。なお、最適ベットスイッチ16bが操作されたときのベット数カウンタ60の値が「２」であった場合には、当該値は変更されない。
【００３９】
なお、最適ベットスイッチ16bが操作された際に、ベット数に代える分より少ない遊技メダルしかクレジットされていなかった場合には、ベット数カウンタ60の値を変更しないように設定してもよいし、クレジットされている分だけベット数カウンタ60の値をインクリメントするように設定してもよい。
（遊技状態記憶手段70）
遊技状態記憶手段70は、遊技の状態、換言すれば、当該時点において行われている遊技を記憶するためのものである。
具体的には、遊技状態記憶手段70には、遊技の状態として、通常遊技、ノーマルＢＢ遊技又はスーパーＢＢ遊技のいずれかが記憶される。より具体的には、通常遊技中においては、遊技状態記憶手段70には、遊技の状態として通常遊技が記憶される。そして、ノーマルＢＢ遊技が開始されると、遊技状態記憶手段70に記憶される遊技の状態がノーマルＢＢ遊技に変更され、ノーマルＢＢ遊技が終了し通常遊技に戻ると、遊技状態記憶手段70に記憶される遊技の状態が通常遊技に変更される。また、スーパーＢＢ遊技が開始されると、遊技状態記憶手段70に記憶される遊技の状態がスーパーＢＢ遊技に変更され、スーパーＢＢ遊技が終了し通常遊技に戻ると、遊技状態記憶手段70に記憶される遊技の状態が通常遊技に変更される。
【００４０】
（役抽選手段80）
役抽選手段80は、スタートスイッチ18の操作を契機として、複数の役のいずれかに当選したか否かの役抽選を行うものである。
役抽選手段80は、一定範囲の数字を高速で１ずつ加算するカウンタを用いて、役抽選用の乱数を所定の数値領域内（たとえば、１０進数で０〜６５５３５）で発生させる乱数発生手段81と、乱数発生手段81が発生する乱数を、所定の契機（本形態では、スタートスイッチ18の操作）で抽出する乱数抽出手段82と、乱数発生手段81が発生させる所定の数値領域内の各乱数について、役が当選したか否かを予め定めた役抽選テーブル83と、抽出された乱数及び役抽選テーブル83を照合し、役が当選したか否かの判定を行う判定手段84と、当選したと判定された役に対応する当選フラグを成立させる当選フラグ成立手段85とを備えている。
【００４１】
本形態に係るスロットマシン10では、役抽選テーブル83として、図６に示すように、通常遊技中に用いられる通常中テーブル83a、ノーマルＢＢ遊技中又はスーパーＢＢ遊技中であって、かつ遊技メダルのベット数が２枚である場合に用いられるＢＢ中２枚ベットテーブル83b、ノーマルＢＢ遊技中又はスーパーＢＢ遊技中であって、かつ遊技メダルのベット数が３枚である場合に用いられるＢＢ中３枚ベットテーブル83c、及び、後述する赤７ＢＢ役又は青７ＢＢ役の当選フラグの持ち越し中（内部中）に用いられる内部中テーブル83dを備えている。
そして、遊技状態記憶手段70に記憶されている遊技の状態、及び、ベット数カウンタ60に記憶されているベット数に基づいて、対応する役抽選テーブル83が取得され、この取得された役抽選テーブル83が参照されるようになっている。
【００４２】
各役抽選テーブル83には、役に当選したと判定される数値領域である当選領域と、いずれの役にも当選していない（すなわち、ハズレ）と判定される数値領域であるハズレ領域とが設定されている。また、当選領域としては、いずれか一の役に当選したと判定される単独当選の当選領域（以下、単独当選領域とする）と、複数の役に当選したと判定される重複当選の当選領域（以下、重複当選領域とする）とを備えている。
具体的には、通常中テーブル83aには、図６に示すように、赤７ＢＢ役、青７ＢＢ役、非択一役としての特殊チェリー役、スイカ役、赤チェリー役、青チェリー役及びリプレイ役の単独当選領域と、択一役としてのベル役の単独当選領域と、ベル役及び赤チェリー役の重複当選領域と、ベル役及び青チェリー役の重複当選領域と、ハズレ領域とが設けられている。なお、以下、単独で当選したと判定されるベル役を「左ベル役」といい、重複して当選したと判定されるベル役及び赤チェリー役を「中ベル役」といい、重複して当選したと判定されるベル役及び青チェリー役を「右ベル役」というものとする。
【００４３】
また、ＢＢ中２枚ベットテーブル83b、ＢＢ中３枚ベットテーブル83c及び内部中テーブル83dにはいずれも、赤７ＢＢ役及び青７ＢＢ役の単独当選領域は設けられていないが、これら以外については通常中テーブル83aと同様の当選領域及びハズレ領域が設けられている（図６参照）。
ここで、ＢＢ中２枚ベットテーブル83bにおいては、図６に示すように、左ベル役の当選領域、中ベル役の当選領域及び右ベル役の当選領域が、全数値領域のほぼすべてを占めている。すなわち、ＢＢ中２枚ベットテーブル83bでは、ベル役の単独当選、ベル役及び赤チェリー役の重複当選、ベル役及び青チェリー役の重複当選と判定される可能性が極めて高いものとなっている。換言すれば、ＢＢ中２枚ベットテーブル83bでは、主として、択一役としてのベル役が抽選されるように設定されている。
【００４４】
なお、左ベル役の当選領域、中ベル役の当選領域及び右ベル役の当選領域はいずれも同じ大きさの領域となっている。すなわち、左ベル役、中ベル役及び右ベル役はいずれも、同じ確率で抽選されるように設定されている。
また、ＢＢ中３枚ベットテーブル83cにおいては、図６に示すように、特殊チェリー役の単独当選領域が、全数値領域のほぼすべてを占めている。すなわち、ＢＢ中３枚ベットテーブル83cでは、特殊チェリー役の単独当選と判定される可能性が極めて高いものとなっている。換言すれば、ＢＢ中３枚ベットテーブル83cでは、主として、非択一役としての特殊チェリー役が抽選されるように設定されている。
【００４５】
なお、各役抽選テーブル83における当選領域は、上述の内容に限定されるものではなく、たとえば、同一役の重複当選領域や、３個以上の役の重複当選領域等を設けることもできる。
また、当選フラグは、所定の役に当選していることを示すフラグであり、当選フラグ成立手段85が、判定手段84により当選したと判定された役に対応する当選フラグを成立させる。また、複数の役に重複当選したと判定された場合には、当選した複数の役それぞれに対応する当選フラグを成立させる。そして、当選フラグの成立中に、当該当選フラグに係る役に対応する図柄46の組み合わせが有効入賞ライン上に停止表示されると、遊技者に対して、遊技メダルの払い出しや、ノーマルＢＢ遊技やスーパーＢＢ遊技の開始等の利益が付与される。
【００４６】
ここで、当選フラグとしては、小役に当選したと判定された場合に成立する小役当選フラグ（本形態では、特殊チェリー当選フラグ、スイカ当選フラグ、ベル当選フラグ、赤チェリー当選フラグ、青チェリー当選フラグ）と、リプレイ役に当選したと判定された場合に成立するリプレイ当選フラグと、ボーナス役に当選したと判定された場合に成立するボーナス当選フラグ（本形態では、赤７ＢＢ当選フラグ、青７ＢＢ当選フラグ）とを備えている。
そして、小役当選フラグ及びリプレイ当選フラグは、成立した遊技においてのみ有効となるものの、ボーナス当選フラグは、次の遊技へ持ち越すことができるようになっており、当該ボーナス当選フラグに係るボーナス役に対応する図柄46の組み合わせが有効入賞ライン上に停止表示されることにより、当該ボーナス当選フラグが解除されるようになっている。すなわち、ボーナス当選フラグは、前記ボーナス役に対応する図柄46の組み合わせが有効入賞ライン上に停止表示されるまで成立したままとなる。
【００４７】
（ＢＢ遊技振り分け手段90）
ＢＢ遊技振り分け手段90は、役抽選により赤７ＢＢ役又は青７ＢＢ役に当選した場合に、これらの役に対応する図柄46の組み合わせが有効入賞ライン上に停止表示されることを契機に開始される遊技を、ノーマルＢＢ遊技又はスーパーＢＢ遊技のいずれとするかを決定するものである。
具体的には、ＢＢ遊技振り分け手段90は、ノーマルＢＢ遊技又はスーパーＢＢ遊技の振り分け率を定めた振り分けテーブル91を備え、赤７ＢＢ役又は青７ＢＢ役に当選したことを契機として、当該振り分けテーブル91を用いた乱数抽選を行い、ノーマルＢＢ遊技又はスーパーＢＢ遊技のいずれかを決定する。
【００４８】
また、振り分けテーブル91としては、図７に示すように、赤７ＢＢ役に当選した場合に用いられる赤７ＢＢ振り分けテーブル91aと、青７ＢＢ役に当選した場合に用いられる青７ＢＢ振り分けテーブル91bとを備えている。そして、赤７ＢＢ振り分けテーブル91aは、スーパーＢＢ遊技とノーマルＢＢ遊技との振り分け率が「４：１」に設定されており、青７ＢＢ振り分けテーブル91bは、スーパーＢＢ遊技とノーマルＢＢ遊技との振り分け率が「１：１」に設定されている。
なお、前記振り分け率は上述の内容に限定されるものではない。また、前記振り分け率は、固定された値とするのではなく、所定の条件（たとえば、前回の特別遊技終了からの遊技回数等や、赤７ＢＢ役や青７ＢＢ役が当選したときの遊技の状態等）に応じて変動されるように設定してもよい。
【００４９】
また、当選した役に応じて、予め振り分けられる遊技を定めておいてもよい。たとえば、赤７ＢＢ役の当選の場合には、その後に開始される特別遊技をスーパーＢＢ遊技と設定し、青７ＢＢ役の当選の場合には、その後に開始される特別遊技をノーマルＢＢ遊技と設定することができる。
また、ノーマルＢＢ遊技又はスーパーＢＢ遊技の振り分けは、赤７ＢＢ役又は青７ＢＢ役に当選したことを契機とするのではなく、これらの役に対応する図柄46の組み合わせが有効入賞ライン上に停止表示されたことを契機として行ってもよい。
（リール制御手段150）
リール制御手段150は、スタートスイッチ18の操作に基づいて回転リール40を回転させるとともに、インデックスセンサによるスタートインデックスの検知に基づいて図柄46の現在位置を認識しつつ、役抽選手段80による役抽選の結果及びストップスイッチ19の操作に基づいて、回転リール40の停止を制御するためのものである。
【００５０】
リール制御手段150は、図３に示すように、回転リール40の開始を制御するための回転開始制御手段155と、回転リール40の停止を制御するための停止制御手段160とを備えている。
（回転開始制御手段155）
回転開始制御手段155は、スタートスイッチ18の操作を契機に、３個すべての回転リール40の回転を開始させるものである。
具体的には、回転開始制御手段155は、スタートスイッチ18が操作されると、予め定められた所定の加速度ですべての回転リール40を回転させ、すべての回転リール40の回転速度が所定の速度に達すると、この所定の速度で定速回転を行わせるようになっている。
【００５１】
（停止制御手段160）
停止制御手段160は、ストップスイッチ19の操作を契機として、役抽選の結果及びストップスイッチ19が操作された際の対応する回転リール40の回転位置に基づいて、回転リール40の回転を停止させるものである。
具体的には、停止制御手段160は、ストップスイッチ19が操作された際の対応する回転リール40の回転位置に基づいて、有効入賞ライン上に直ちに停止できる図柄46を基準として、この図柄46から回転方向に予め定められた個数（最大スベリコマ数、たとえば４コマ）移動した図柄46までの範囲内で、対応する回転リール40を停止させるように設定されている。
【００５２】
ここで、「コマ」とは、回転リール40の回転量を示すものであって、回転リール40の周囲に付された図柄１個分に相当する量を意味する。
そして、停止制御手段160は、役抽選によりいずれかの役に当選した場合には、各回転リール40の回転を停止させるに際し、当選した役に対応する図柄46の組み合わせが、いずれかの有効入賞ライン上に極力揃うように、かつ、当選した役以外の役に対応する図柄46の組み合わせについては、いずれの有効入賞ライン上にも揃わないように、引き込み制御及び蹴飛ばし制御を行う。また、役抽選によりいずれの役にも当選しなかった場合（すなわち、役抽選の結果がハズレの場合）には、各回転リール40の回転を停止させるに際し、いずれの有効入賞ライン上にも、いずれの役に対応する図柄46の組み合わせも揃わないように、蹴飛ばし制御を行う。
【００５３】
また、本形態に係るスロットマシン10では、複数の当選フラグが成立している場合があり、このような場合に、停止制御手段160は、引き込み制御において、当選した複数の役のうちいずれの役を優先して引き込むかを予め設定している。具体的には、停止制御手段160は、引き込み優先順位を、「リプレイ役」＞「小役」＞「ボーナス役」に設定しているとともに、小役の引き込み優先順位を、「ベル役」＞「スイカ役」＞「赤チェリー役」＞「青チェリー役」に設定している。なお、引き込み優先順位は、上述の内容に限定されるものではない。
また、本形態に係るスロットマシン10では、停止制御手段160は、役抽選により、左ベル役に当選した場合（すなわち、ベル役に単独で当選した場合）、中ベル役に当選した場合（すなわち、ベル役及び赤チェリー役に重複して当選した場合）又は右ベル役に当選した場合（すなわち、ベル役及び青チェリー役に重複して当選した場合）において、所定の操作順序でストップスイッチ19が操作されたときには、所定枚数の遊技メダルの払い出しを行うべく、択一役としてのベル役に対応する図柄46の組み合わせ（「ベル」「リプレイ」「ＡＮＹ」）が、所定の有効入賞ライン（上段ライン、第１変則ライン及び第２変則ライン）上に停止表示されるように、回転リール40を停止させる。これに対して、前記所定の操作順序とは異なる操作順序でストップスイッチ19が操作されたときには、前記所定の操作順序でストップスイッチ19が操作されたときよりも少ない枚数の遊技メダルの払い出しを行うべく、ベル役に対応する図柄46に組み合わせが、前記所定の有効入賞ラインと異なる有効入賞ライン（第３変則ライン）上に停止表示されるように、回転リール40を停止させる。
【００５４】
ここで、本形態に係るスロットマシン10では、図５に示すように、ベル役に対応する図柄46の組み合わせがいずれか１本の有効入賞ライン上に停止表示されると、４枚の遊技メダルが払い出されるようになっている。すると、上述の如く、左ベル役、中ベル役又は右ベル役のいずれかに当選した場合において、所定の操作順序でストップスイッチ19が操作されると、前記図柄46の組み合わせが、上段ライン、第１変則ライン及び第２変則ラインの３本の有効入賞ライン上に停止表示されるため、このときは合計１２枚の遊技メダルが払い出されることとなる。これに対して、前記所定の操作順序と異なる操作順序でストップスイッチ19が操作されると、前記図柄46の組み合わせが第３変則ラインのみに停止表示されるため、このときは４枚の遊技メダルが払い出されることとなる。
【００５５】
また、本形態に係るスロットマシン10では、停止制御手段160は、回転リール40の停止位置を予め定めた停止テーブルを備え、この停止テーブルを参照して回転リール40の停止位置を決定する。すなわち、この停止テーブルを用いて、上述の引き込み制御及び蹴飛ばし制御が行われるようになっている。
（択一役の停止テーブル）
以下、択一役としてのベル役の停止テーブルについて詳述する。
本形態に係るスロットマシン10では、図４に示すように、左リール43の周囲には、「ベル」の図柄46が４コマ以内の間隔で配列されており、いかなる操作タイミングで左リール43に対応するストップスイッチ19を操作したとしても、必ず、いずれかの「ベル」の図柄46を有効入賞ライン上に引き込むことができるようになっている。
【００５６】
また、中リール44の周囲には、「リプレイ」の図柄46が４コマ以内の間隔で配列されており、いかなる操作タイミングで中リール44に対応するストップスイッチ19を操作したとしても、必ず、いずれかの「リプレイ」の図柄46を有効入賞ライン上に引き込むことができるようになっている。
また、ベル役に対応する図柄46の組み合わせのうち右リール45の図柄46は、いずれの図柄46であってもよいものとなっている。
以上より、本形態に係るスロットマシン10では、択一役としてのベル役に対応する図柄46の組み合わせは、ストップスイッチ19の操作タイミングに関わらず、有効入賞ライン上に停止表示させることができるようになっている。
【００５７】
また、ベル役の停止テーブルとしては、左ベル役に当選した場合（すなわち、ベル役に単独で当選した場合）に参照される左ベルテーブル、中ベル役に当選した場合（すなわち、ベル役及び赤チェリー役に重複して当選した場合）に参照される中ベルテーブル、及び、右ベル役に当選した場合（すなわち、ベル役及び青チェリー役に重複して当選した場合）に参照される右ベルテーブルを備えている。
（１）役抽選により左ベル役に当選した場合
この場合に参照される左ベルテーブルには、図８に示すように、所定の操作順序としての左スイッチが最初に操作されることとなる操作順序（すなわち、「左スイッチ→中スイッチ→右スイッチ」又は「左スイッチ→右スイッチ→中スイッチ」のいずれかの操作順序）で、各ストップスイッチ19が操作されると、ストップスイッチ19の操作タイミングに関わらず、択一役としてのベル役に対応する図柄46の組み合わせが、所定の有効入賞ライン（上段ライン、第１変則ライン及び第２変則ライン）上に停止表示されるように、各回転リール40の停止位置が定められている。
【００５８】
これに対して、中スイッチ又は右スイッチが最初に操作されることとなる操作順序（すなわち、「中スイッチ→左スイッチ→右スイッチ」、「中スイッチ→右スイッチ→左スイッチ」、「右スイッチ→左スイッチ→中スイッチ」又は「右スイッチ→中スイッチ→左スイッチ」のいずれかの操作順序）で、各ストップスイッチ19が操作されると、ストップスイッチ19の操作タイミングに関わらず、ベル役に対応する図柄46の組み合わせが、前記所定の有効入賞ラインとは異なる有効入賞ライン（第３変則ライン）にのみ停止表示されるように、各回転リール40の停止位置が定められている。
（２）役抽選により中ベル役に当選した場合
この場合に参照される中ベルテーブルには、図８に示すように、所定の操作順序としての中スイッチが最初に操作されることとなる操作順序で、各ストップスイッチ19が操作されると、ストップスイッチ19の操作タイミングに関わらず、択一役としてのベル役に対応する図柄46の組み合わせが、所定の有効入賞ライン（上段ライン、第１変則ライン及び第２変則ライン）上に停止表示されるように、各回転リール40の停止位置が定められている。
【００５９】
これに対して、左スイッチ又は右スイッチが最初に操作されることとなる操作順序で、各ストップスイッチ19が操作されると、ストップスイッチ19の操作タイミングに関わらず、ベル役に対応する図柄46の組み合わせが、前記所定の有効入賞ラインとは異なる有効入賞ライン（第３変則ライン）にのみ停止表示されるように、各回転リール40の停止位置が定められている。
（３）役抽選により右ベル役に当選した場合
この場合に参照される右ベルテーブルには、図８に示すように、所定の操作順序としての右スイッチが最初に操作されることとなる操作順序で、各ストップスイッチ19が操作されると、ストップスイッチ19の操作タイミングに関わらず、択一役としてのベル役に対応する図柄46の組み合わせが、所定の有効入賞ライン（上段ライン、第１変則ライン及び第２変則ライン）上に停止表示されるように、各回転リール40の停止位置が定められている。
【００６０】
これに対して、左スイッチ又は中スイッチが最初に操作されることとなる操作順序で、各ストップスイッチ19が操作されると、ストップスイッチ19の操作タイミングに関わらず、ベル役に対応する図柄46の組み合わせが、前記所定の有効入賞ラインとは異なる有効入賞ライン（第３変則ライン）にのみ停止表示されるように、各回転リール40の停止位置が定められている。
なお、停止制御手段160は、役抽選により左ベル役、中ベル役又は右ベル役に当選した場合において、所定の操作順序と異なる操作順序で各ストップスイッチ19が操作されたときには、ベル役に対応する図柄46の組み合わせがいずれの有効入賞ライン上にも停止表示されないように設定してもよい。すなわち、停止制御手段160は、遊技メダルが遊技者に払い出されないように、回転リール40を停止させてもよい。
【００６１】
なお、停止制御手段160は、ストップスイッチ19の操作タイミング及び役抽選の結果に基づき、最大スベリコマ数の範囲を１コマずつ停止可能であるか否かを判断した上で停止位置を決定する、いわゆるコントロール制御（プログラム制御）を行うこともできる。
（停止図柄判定手段190）
停止図柄判定手段190は、すべての回転リール40の回転が停止した際に、有効入賞ライン上に停止表示されている図柄46の組み合わせを判定するものである。
そして、本形態に係るスロットマシン10では、停止図柄判定手段190による判定の結果に基づいて、各種処理が実行される。具体的には、いずれかの小役に対応する図柄46の組み合わせが有効入賞ライン上に停止表示されたと判定された場合には、ホッパーユニット35に所定枚数の遊技メダルを払い出すための制御信号が出力される。また、リプレイ役に対応する図柄46の組み合わせが有効入賞ライン上に停止表示されたと判定された場合には、再遊技が実行される。また、ボーナス役（赤７ＢＢ役、青７ＢＢ役）に対応する図柄46の組み合わせが有効入賞ライン上に停止表示されたと判定された場合には、ノーマルＢＢ遊技又はスーパーＢＢ遊技のいずれかが開始される。
【００６２】
（状態移行手段195）
状態移行手段195は、所定の条件を満たしたことを契機として、遊技の状態を移行するものである。すなわち、状態移行手段195は、所定の条件を満たしたことを契機として、遊技状態記憶手段70に記憶されている遊技を変更するものである。
具体的には、通常遊技中の役抽選により、ボーナス役（赤７ＢＢ役、青７ＢＢ役）に当選し、ＢＢ遊技振り分け手段90によりノーマルＢＢ遊技が決定された場合には、ボーナス役に対応する図柄46が有効入賞ライン上に停止表示されると、ノーマルＢＢ遊技が開始されるとともに、状態移行手段195が、遊技状態記憶手段70に記憶されている遊技の状態を、通常遊技からノーマルＢＢ遊技に変更する。これに対して、スーパーＢＢ遊技が決定された場合には、ボーナス役に対応する図柄46が有効入賞ライン上に停止表示されると、スーパーＢＢ遊技が開始されるとともに、状態移行手段195が、遊技状態記憶手段70に記憶されている遊技の状態を、通常遊技からスーパーＢＢ遊技に変更する。
【００６３】
また、ノーマルＢＢ遊技中又はスーパーＢＢ遊技中に予め定められた払い出し枚数（３４５枚）を超えた遊技メダルが払い出されると、ノーマルＢＢ遊技又はスーパーＢＢ遊技が終了するとともに、状態移行手段195が、遊技状態記憶手段70に記憶されている遊技の状態を、ノーマルＢＢ遊技又はスーパーＢＢ遊技から通常遊技に変更する。
（演出制御装置22）
演出制御装置22は、上述の如く、遊技制御装置21からの出力信号に基づいて、遊技に付随する演出を行わせるためのものである。そして、この演出制御装置22は、図３に示すように、演出テーブル200、通常演出実行手段205、操作態様報知手段210の各手段として機能する。また、演出制御装置22には、図３に示すように、出力手段として、ランプ32、スピーカ33及び画像表示装置34等の演出装置26が接続されている。なお、演出制御装置22が機能する手段、演出制御装置22に接続される出力手段は、これらに限定されるものではない。
【００６４】
（演出テーブル200）
演出テーブル200は、遊技に付随して行われる演出に関する演出データを記憶する記憶手段である。演出データとしては、ランプ32の点灯パターンデータ、スピーカ33から出力される音声データ、画像表示装置34に表示する画像データ等を備えている。
本形態に係るスロットマシン10では、演出テーブル200は、後述する通常演出実行手段205により演出を実行するための演出データや、後述する操作態様報知手段210により報知を行うための演出データ等を記憶している。
（通常演出実行手段205）
通常演出実行手段205は、遊技の進行に伴い、所定のタイミング（ベットスイッチの操作時、スタートスイッチ18の操作時、各ストップスイッチ19の操作時等）や役抽選による抽選の結果等の演出実行条件に基づき、演出テーブル200から所定の演出データを選択し、演出装置26において当該演出データに係る演出を実行させるものである。
【００６５】
通常演出実行手段205は、たとえば、所定の役（たとえば、ボーナス役）に当選したこと等の期待感を遊技者に抱かせるために、複数回の遊技にわたって画像表示や音声出力を行う連続演出、ノーマルＢＢ遊技やスーパーＢＢ遊技の実行中に、当該遊技を盛り上げるための画像表示や音声出力を行うＢＢ遊技中演出等を実行させる。
（操作態様報知手段210）
操作態様報知手段210は、択一役に当選したときに、当該択一役に対応する図柄46の組み合わせを所定の有効入賞ライン上に停止表示させるためのストップスイッチ19の所定の操作態様を、遊技者に報知するものである。そして、当該報知は、演出テーブル200から対応する演出データを選択して実行されるものとなっている。
【００６６】
具体的には、操作態様報知手段210は、第２の特別遊技としてのスーパーＢＢ遊技中に、第１のベット数である遊技メダル２枚のベットにより１回の遊技が行われた場合において、役抽選により、左ベル役に当選したとき（ベル役に単独で当選したとき）、中ベル役に当選したとき（ベル役及び赤チェリー役に重複して当選したとき）、又は、右ベル役に当選したとき（ベル役及び青チェリー役に重複して当選したとき）に、択一役としてのベル役に対応する図柄46の組み合わせを所定の有効入賞ライン（上段ライン、第１変則ライン及び第２変則ライン）上に停止表示させるためのストップスイッチ19の操作順序を、遊技者に報知する。
【００６７】
たとえば、左ベル役に当選したときは、上述の如く、左スイッチを最初に操作すると、ベル役に対応する図柄46の組み合わせを、上段ライン、第１変則ライン及び第２変則ラインに停止表示させることができるため、操作態様報知手段210は、左スイッチを最初に操作する旨を報知する。
なお、操作態様報知手段210による報知の方法は、特に限定されるものではなく、たとえば、画像表示装置34上に文字や画像によりストップスイッチ19の操作順序を表示したり、スピーカ33からストップスイッチ19の操作順序を示す音声を出力したり、ストップスイッチ19の操作順序を示すようにランプ32を点灯したりすることができる。
【００６８】
また、操作態様報知手段210は、上述の当選のときに常に報知を行うのではなく、上述の当選の際に報知を行うか否かの抽選を行って、報知を行う旨が決定された場合に報知を行うようにしてもよい。
（ノーマルＢＢ遊技及びスーパーＢＢ遊技における出玉率、平均遊技回数）
以下、ノーマルＢＢ遊技及びスーパーＢＢ遊技におけるベット数ごとの出玉率、平均遊技回数について説明する。ここで、「出玉率」とは、特別遊技（ノーマルＢＢ遊技、スーパーＢＢ遊技）中の１回の遊技あたりに払い出される遊技メダルの枚数の期待値を１回の遊技のベット数で除した値である。換言すれば、特別遊技中において、ベットする遊技メダル１枚あたりにつき、遊技者に対して払い出される遊技メダルの枚数を意味する。また、「平均遊技回数」とは、特別遊技が開始されてから終了する（すなわち、３４５枚を超える遊技メダルが払い出される）までの遊技回数の平均を意味する。
【００６９】
（１）ノーマルＢＢ遊技中、遊技メダル２枚ベットの場合
上述の如く、第１の特別遊技としてのノーマルＢＢ遊技中の１回の遊技が、第１のベット数としての遊技メダル２枚のベットにより行われる場合には、役抽選手段80による役抽選は、ＢＢ中２枚ベットテーブル83bを用いて行われる。そして、このＢＢ中２枚ベットテーブル83bでは、図６に示すように、左ベル役の当選（ベル役に単独で当選）となる確率、中ベル役の当選（ベル役及び赤チェリー役に重複して当選）となる確率、及び、右ベル役の当選（ベル役及び青チェリー役に重複して当選）となる確率がいずれも、約１／３となるように設定されている。
【００７０】
しかし、役抽選が行われても、表面上は上述の３つの当選のうちいずれの当選となっているかは分からず、さらに、ノーマルＢＢ遊技中は、操作態様報知手段210により、ベル役に対応する図柄46の組み合わせを所定の有効入賞ライン上に停止表示させるための所定の操作順序が報知されないことから、遊技者は勘に頼って（すなわち、ランダムに）ストップスイッチ19を操作することとなる。ここで、ストップスイッチ19の操作順序は全部で６通りあり、そのうちの２通りが所定の操作順序となるため、所定の操作順序でストップスイッチ19が操作される確率は、１／３（＝２／６）となり、所定の操作順序と異なる操作順序でストップスイッチ19が操作される確率は、２／３（＝４／６）となる。
【００７１】
すると、ノーマルＢＢ遊技中の１回の遊技が遊技メダル２枚のベットにより行われる場合に、役抽選の結果に対応する所定の操作順序でストップスイッチ19が操作される確率は、約１／３（＝（１／３）×（１／３）＋（１／３）×（１／３）＋（１／３）×（１／３））となり、前記所定の操作順序とは異なる操作順序でストップスイッチ19が操作される確率は、約２／３（＝（１／３）×（２／３）＋（１／３）×（２／３）＋（１／３）×（２／３））となる。
また、前記いずれかの当選となった場合に、所定の操作順序でストップスイッチ19が操作されると、上述の如く、択一役としてのベル役に対応する図柄46の組み合わせが、所定の有効入賞ライン（上段ライン、第１変則ライン及び第２変則ライン）上に停止表示されるため、合計１２枚の遊技メダルが払い出される。これに対して、前記いずれかの当選となった場合に、前記所定の操作順序と異なる操作順序でストップスイッチ19が操作されると、上述の如く、前記図柄46の組み合わせが、所定の有効入賞ラインと異なる有効入賞ライン（第３変則ライン）上に停止表示されるため、４枚の遊技メダルが払い出される。
【００７２】
したがって、ノーマルＢＢ遊技中の１回の遊技が、遊技メダル２枚のベットにより行われる場合には、約１／３の確率で遊技メダル１２枚の払い出しが行われ、約２／３の確率で遊技メダル４枚の払い出しが行われるため、払い出される遊技メダルの枚数の期待値は、約６．６６枚（＝１２×（１／３）＋４×（２／３））となる。
すると、この場合の出玉率は、約３３３％（＝６．６６／２×１００）となり、平均遊技回数は、約５２回（＝３４５／６．６６）となる。また、１回の遊技あたりに獲得できる遊技メダルの枚数（すなわち、１回の遊技あたりに払い出される遊技メダルの枚数と、１回の遊技における遊技メダルのベット枚数との差分）の期待値は、約４．６６枚（＝６．６６−２）となるため、当該ノーマルＢＢ遊技中に獲得できる遊技メダルの総数の期待値は、約２４２枚（＝４．６６×５２）となる。
【００７３】
（２）ノーマルＢＢ遊技中、遊技メダル３枚ベットの場合
上述の如く、第１の特別遊技としてのノーマルＢＢ遊技中の１回の遊技が、第２のベット数としての遊技メダル３枚のベットにより行われる場合には、役抽選手段80による役抽選は、ＢＢ中３枚ベットテーブル83cを用いて行われる。そして、このＢＢ中３枚ベットテーブル83cでは、図６に示すように、特殊チェリー役の当選となる確率がほぼ１００％となるように設定されている。
そして、非択一役としての特殊チェリー役に対応する図柄46の組み合わせは、ストップスイッチ19の操作順序に関わらず、有効入賞ライン上に停止表示されるようになっている。また、前記図柄46の組み合わせが、有効入賞ライン上に停止表示されると、１０枚の遊技メダルが払い出される。
【００７４】
したがって、ノーマルＢＢ遊技中の１回の遊技が、遊技メダル３枚のベットにより行われる場合には、ほぼ１００％の確率で遊技メダル１０枚の払い出しが行われるため、払い出される遊技メダルの枚数の期待値は、約１０枚となる。
すると、この場合の出玉率は、約３３３％（＝１０／３×１００）となり、平均遊技回数は、約３５回（＝３４５／１０）となる。また、１回の遊技あたりに獲得できる遊技メダルの枚数の期待値は、約７枚（＝１０−３）となるため、当該ノーマルＢＢ遊技中に獲得できる遊技メダルの総数の期待値は、約２４５枚（＝７×３５）となる。
このように、本形態に係るスロットマシン10では、第２のベット数としての遊技メダル３枚は、第１のベット数としての遊技メダル２枚よりも多い。すなわち、第２のベット数は第１のベット数よりも大きい値に設定されている。さらに、遊技メダル３枚のベットによりノーマルＢＢ遊技を行った場合における出玉率、及び、遊技メダル２枚のベットによりノーマルＢＢ遊技を行った場合における出玉率はいずれも約３３３％であり、遊技メダル３枚（第２のベット数）のベットによりノーマルＢＢ遊技（第１の特別遊技）を行った場合における出玉率が、遊技メダル２枚（第１のベット数）のベットによりノーマルＢＢ遊技を行った場合における出玉率以上となるように設定されている。
【００７５】
そして、以上のように設定したことで、遊技メダル２枚のベットよりも遊技メダル３枚のベットでノーマルＢＢ遊技を行うほうが、獲得できる遊技メダルの総数の期待値が大きくなるとともに、ノーマルＢＢ遊技における平均遊技回数が極めて少なくなるため、ノーマルＢＢ遊技が終了するまでの時間を短縮化しつつ、多くの遊技メダルを獲得できることとなる。すなわち、本形態に係るスロットマシン10では、遊技メダル３枚が、ノーマルＢＢ遊技の１回の遊技を行うにあたっての最適なベット数であるといえる。
（３）スーパーＢＢ遊技中、遊技メダル２枚ベットの場合
上述の如く、第２の特別遊技としてのスーパーＢＢ遊技中の１回の遊技が、第１のベット数としての遊技メダル２枚のベットにより行われる場合にも、ノーマルＢＢ遊技と同様に、役抽選手段80による役抽選は、ＢＢ中２枚ベットテーブル83bを用いて行われる。
【００７６】
ここで、スーパーＢＢ遊技中の１回の遊技が遊技メダル２枚のベットにより行われる場合に、左ベル役、中ベル役又は右ベル役のいずれかに当選したときは、操作態様報知手段210により、ベル役に対応する図柄46の組み合わせを所定の有効入賞ライン上に停止表示させるための所定の操作順序が報知される。
したがって、報知された所定の操作順序に基づいてストップスイッチ19の操作が可能であることから、スーパーＢＢ遊技中の１回の遊技が、遊技メダル２枚のベットにより行われる場合には、ほぼ１００％の確率で遊技メダル１２枚の払い出しが行われ、払い出される遊技メダルの枚数の期待値は、約１２枚となる。
【００７７】
すると、この場合の出玉率は、約６００％（＝１２／２×１００）となり、平均遊技回数は、約２９回（＝３４５／１２）となる。また、１回の遊技あたりに獲得できる遊技メダルの枚数の期待値は、約１０枚（＝１２−２）となるため、当該スーパーＢＢ遊技中に獲得できる遊技メダルの総数の期待値は、約２９０枚（＝１０×２９）となる。
（４）スーパーＢＢ遊技中、遊技メダル３枚ベットの場合
この場合は、ノーマルＢＢ遊技中の１回の遊技が遊技メダル３枚のベットにより行われる場合と全く同様である。
したがって、この場合の出玉率は、約３３３％（＝１０／３×１００）となり、平均遊技回数は、約３５回（＝３４５／１０）となる。また、１回の遊技あたりに獲得できる遊技メダルの枚数の期待値は、約７枚（＝１０−３）となるため、当該スーパーＢＢ遊技中に獲得できる遊技メダルの総数の期待値は、約２４５枚（＝７×３５）となる。
【００７８】
このように、本形態に係るスロットマシン10では、遊技メダル３枚のベットよりも遊技メダル２枚のベットでスーパーＢＢ遊技を行うほうが、獲得できる遊技メダルの総数の期待値が極めて大きくなる。平均遊技回数に関しては大差はない。すなわち、本形態に係るスロットマシン10では、遊技メダル２枚が、スーパーＢＢ遊技の１回の遊技を行うにあたっての最適なベット数であるといえる。
（ストップスイッチ19の操作順序に応じた停止表示の変形例）
なお、ストップスイッチ19の操作順序に応じた停止表示としては、上述した内容に限定されるものではない。
【００７９】
たとえば、左ベル役、中ベル役及び右ベル役をそれぞれ、ベル役（択一役）と、ベル役と異なる他の役との重複役として設定する。また、ベル役に対応する図柄46の組み合わせ、及び、他の役に対応する図柄46の組み合わせはいずれも、ストップスイッチ19の操作タイミングに関わらず有効入賞ライン上に引き込んで停止表示させることが可能となるように配列する。また、ベル役に対応する払い出し枚数と、他の役に対応する払い出し枚数とは異なるように設定する。
そして、当選した重複役に応じた所定の操作順序で各ストップスイッチ19が操作されると、ストップスイッチ19の操作タイミングに関わらず、他の役に優先してベル役に対応する図柄46の組み合わせが、いずれかの有効入賞ライン上に停止するものの、上記所定の操作順序と異なる操作順序で各ストップスイッチ19が操作されると、ベル役に優先して他の役に対応する図柄46の組み合わせが、いずれかの有効入賞ライン上に停止するように設定することができる。
【００８０】
すなわち、当選した重複役に応じた所定の操作順序でストップスイッチ19が操作されたか否かにより、有効入賞ライン上に停止表示される役が変化するように設定することができる。このように設定すれば、ストップスイッチ19の操作順序に応じて、有効入賞ライン上に停止表示される役が変化することとなり、その結果、ストップスイッチ19の操作順序に応じて、獲得できる遊技メダルの枚数の期待値を変化させることができる。
また、たとえば、左ベル役、中ベル役及び右ベル役をそれぞれ、ストップスイッチ19の操作タイミングに関わらず、対応する図柄46を有効入賞ライン上に引き込んで停止表示させることが可能ベル役（択一役）と、ストップスイッチ19の操作タイミングによっては、対応する図柄46を有効入賞ライン上に引き込むことができない他の役との重複役として設定する。また、いずれの役も、払い出し枚数は同数に設定する。
【００８１】
そして、当選した重複役に応じた所定の操作順序で各ストップスイッチ19が操作されると、ストップスイッチ19の操作タイミングに関わらず、他の役に優先してベル役に対応する図柄46の組み合わせが、いずれかの有効入賞ラインに停止するものの、上記所定の操作順序と異なる操作順序で各ストップスイッチ19が操作されると、ストップスイッチ19の操作タイミングに応じて、他の役に対応する図柄46の組み合わせが、いずれかの有効入賞ライン上に停止するように設定することができる。
すなわち、当選した重複役に応じた所定の操作順序でストップスイッチ19が操作されたか否かにより、役が有効入賞ライン上に停止表示される確率を変化させるように設定することができる。このように設定すれば、ストップスイッチ19の操作順序に応じて、役が有効入賞ライン上に停止表示される確率が変化することとなり、その結果、ストップスイッチ19の操作順序に応じて、獲得できる遊技メダルの枚数の期待値を変化させることができる。
【００８２】
（スロットマシン10の動作）
次に、上記構成を備えたスロットマシン10の動作の概略を、図９のフローに基づいて説明する。
まず、図９に示すステップ１００において、ベット数カウンタ60の値をセットするためのベット処理が行われる。そして、次のステップ１０１に進む。
ステップ１０１において、ベット数カウンタ60の値が１回の遊技を開始することが可能な値となっているか否かが判定される。具体的には、通常遊技中であればベット数カウンタ60の値が「３」となっているか、ノーマルＢＢ遊技中又はスーパーＢＢ遊技中であればベット数カウンタ60の値が「２」又は「３」となっているかが判定される。そして、ベット数カウンタ60の値が１回の遊技を開始することが可能な値となっていると判定された場合、次のステップ１０２に進む。一方、可能な値となっていないと判定された場合、ステップ１００に戻る。
【００８３】
ステップ１０２において、スタートスイッチ18の操作に基づき、スタートスイッチ18がＯＮとなったか否かが判定される。そして、スタートスイッチ18がＯＮとなったと判定された場合、次のステップ１０３に進む。一方、スタートスイッチ18がＯＮとなっていないと判定された場合、ステップ１００に戻る。
ステップ１０３において、役抽選手段80により役抽選処理が行われる。そして、次のステップ１０４に進む。
ステップ１０４において、ＢＢ遊技振り分け手段90によりＢＢ振り分け処理が行われる。そして、次のステップ１０５に進む。
【００８４】
ステップ１０５において、操作態様報知手段210により報知処理が行われる。そして、次のステップ１０６に進む。
ステップ１０６において、回転開始制御手段155が３個すべての回転リール40の回転を開始させる。そして、次のステップ１０７に進む。
ステップ１０７において、ストップスイッチ19の操作に基づき、ストップスイッチ19がＯＮとなったか否かが判定される。そして、ストップスイッチ19がＯＮとなったと判定された場合、次のステップ１０８に進む。一方、ストップスイッチ19がＯＮとなっていないと判定された場合、ステップ１０７に戻る。
【００８５】
ステップ１０８において、停止制御手段160が、操作されたストップスイッチ19に対応する回転リール40を所定の停止位置で停止させる。そして、次のステップ１０９に進む。
ステップ１０９において、３個すべての回転リール40に対応するストップスイッチ19が操作されたか否かが判定される。そして、操作されたと判定された場合、次のステップ１１０に進む。一方、操作されていないと判定された場合、ステップ１０７に戻る。
ステップ１１０において、停止図柄判定手段190により、有効入賞ライン上に停止表示されている図柄46の組み合わせが判定される。
ステップ１１１において、ステップ１１０における判定の結果に基づき、所定枚数の遊技メダルの払い出しや、状態移行手段195による遊技状態記憶手段70に記憶されている遊技の状態の変更等が行われる。そして、遊技が終了する。
【００８６】
次に、上述したステップ１００のベット処理について、図１０のフローを用いて説明する。
ステップ２００において、遊技メダルのベットが有効に行われたか否かが判定される。具体的には、遊技メダルのベットが可能な状態で、遊技メダルの投入、シングルベットスイッチ16aの操作又は最適ベットスイッチ16bの操作が行われたか否かが判定される。そして、遊技メダルのベットが行われたと判定された場合、次のステップ２０１に進む。一方、遊技メダルのベットが行われていないと判定された場合、ベット処理が終了する。
ステップ２０１において、遊技メダルが１枚投入されたか、又は、シングルベットスイッチ16aが操作されたかが判定される。そして、投入された又は操作されたと判定された場合、次のステップ２０２に進む。一方、投入されていない、かつ、操作されていないと判定された場合、換言すれば、最適ベットスイッチ16bが操作されたと判定された場合、ステップ２０３に進む。
【００８７】
ステップ２０２において、ベット数カウンタ60の値が１インクリメントされる。そして、ベット処理が終了する。
ステップ２０３において、遊技状態記憶手段70に記憶されている遊技の状態が、通常遊技であるか又はノーマルＢＢ遊技であるかが判定される。そして、通常遊技又はノーマルＢＢ遊技であると判定された場合、次のステップ２０４に進む。一方、通常遊技及びノーマルＢＢ遊技でないと判定された場合、換言すれば、スーパーＢＢ遊技であると判定された場合、ステップ２０５に進む。
ステップ２０４において、ベット数カウンタ60の値が「３」となる。そして、ベット処理が終了する。
【００８８】
ステップ２０５において、ベット数カウンタ60の値が「２」となる。そして、ベット処理が終了する。
次に、上述したステップ１０３の役抽選処理について、図１１のフローを用いて説明する。
ステップ３００において、乱数発生手段81により発生された乱数の中から乱数抽出手段82により乱数が抽出される。そして、次のステップ３０１に進む。
ステップ３０１において、抽出された乱数が記憶される。そして、次のステップ３０２に進む。
【００８９】
ステップ３０２において、役抽選テーブル83を取得するためのテーブル取得処理が実行される。そして、次のステップ３０３に進む。
ステップ３０３において、判定手段84により、抽出された乱数と、取得された役抽選テーブル83とが照合され、複数の役のいずれかに当選したか否かの判定が行われる。そして、次のステップ３０４に進む。
ステップ３０４において、ステップ３０３における判定の結果に基づいて、当選フラグ成立手段85が、所定の当選フラグを成立させる。そして、役抽選処理が終了する。
次に、上述したステップ３０３のテーブル取得処理について、図１２のフローを用いて説明する。
【００９０】
ステップ４００において、遊技状態記憶手段70に記憶されている遊技の状態が通常遊技であるか否かが判定される。そして、通常遊技であると判定された場合、次のステップ４０１に進む。一方、通常遊技でないと判定された場合、換言すれば、ノーマルＢＢ遊技又はスーパーＢＢ遊技であると判定された場合、ステップ４０４に進む。
ステップ４０１において、赤７ＢＢ役又は青７ＢＢ役の当選フラグが成立しているか否かが判定される。そして、成立していると判定された場合、次のステップ４０２に進む。一方、成立していないと判定された場合、ステップ４０３に進む。
ステップ４０２において、内部中テーブル83dが取得される。そして、テーブル取得処理が終了する。
【００９１】
ステップ４０３において、通常中テーブル83aが取得される。そして、テーブル取得処理が終了する。
ステップ４０４において、ベット数カウンタ60の値が「２」であるか否かが判定される。そして、「２」であると判定された場合、次のステップ４０５に進む。一方、「２」でないと判定された場合、換言すれば、「３」であると判定された場合、ステップ４０６に進む。
ステップ４０５において、ＢＢ中２枚ベットテーブル83bが取得される。そして、テーブル取得処理が終了する。
【００９２】
ステップ４０６において、ＢＢ中３枚ベットテーブル83cが取得される。そして、テーブル取得処理が終了する。
次に、上述したステップ１０４のＢＢ振り分け処理について、図１３のフローを用いて説明する。
ステップ５００において、赤７ＢＢ役又は青７ＢＢ役に当選したか否かが判定される。そして、当選したと判定された場合、次のステップ５０１に進む。一方、当選していないと判定された場合、ＢＢ振り分け処理が終了する。
ステップ５０１において、振り分けテーブル91に基づいて、ＢＢスーパーＢＢ遊技又はノーマルＢＢ遊技のいずれかが決定される。そして、ＢＢ振り分け処理が終了する。
【００９３】
次に、上述したステップ１０５の報知処理について、図１４のフローを用いて説明する。
ステップ６００において、左ベル役、中ベル役又は右ベル役のいずれかに当選したか否かが判定される。そして、いずれかに当選したと判定された場合、次のステップ６０１に進む。一方、いずれにも当選していないと判定された場合、報知処理が終了する。
ステップ６０１において、遊技状態記憶手段70に記憶されている遊技の状態がスーパーＢＢ遊技であり、かつ、ベット数カウンタ60の値が「２」であるか否かが判定される。そして、スーパーＢＢ遊技であり、かつ、「２」であると判定された場合、次のステップ６０２に進む。一方、スーパーＢＢ遊技でないか、又は、「２」でないと判定された場合、報知処理が終了する。
【００９４】
ステップ６０２において、操作態様報知手段210により、当選した役に応じたストップスイッチ19の所定の操作順序が報知される。そして、報知処理が終了する。
（本形態に係るスロットマシン10の作用、効果）
本形態に係るスロットマシン10によれば、ノーマルＢＢ遊技における１回の遊技を、遊技メダル２枚のベットにより行うと、主として、択一役としてのベル役を含む左ベル役、中ベル役又は右ベル役が抽選される。すると、遊技者は、これらのうちのいずれかの役に当選した場合に、ベル役に対応する図柄46の組み合わせを所定の有効入賞ライン（上段ライン、第１変則ライン及び第２変則ライン）上に停止表示させることができるストップスイッチ19の操作順序が分からないため、勘に頼ってストップスイッチ19を操作することとなる。そして、運良く前記操作順序でストップスイッチ19が操作された場合には、遊技メダル１２枚の払い出しを受けることができる。しかし、前記操作順序と異なる操作順序でストップスイッチ19が操作された場合には、前記図柄46の組み合わせが、前記所定の有効入賞ラインとは異なる有効入賞ライン（第３変則ライン）上に停止表示され、遊技メダル４枚の払い出ししか受けることができない。したがって、遊技メダル１２枚の払い出しを受けることを適切に受けることができず、ノーマルＢＢ遊技を速やかに消化することが困難となる。
【００９５】
これに対して、ノーマルＢＢ遊技における１回の遊技を、遊技メダル３枚のベットにより行うと、主として、非択一役としての特殊チェリー役が抽選される。すると、遊技者は、特殊チェリー役に当選した場合には、ストップスイッチ19の操作順序に関わらず、当該特殊チェリー役に対応する図柄46の組み合わせを有効入賞ライン上に停止表示させることができる。したがって、特殊チェリー役に対応する１０枚の遊技メダルの払い出しを安定して受けることができ、ノーマルＢＢ遊技を速やかに消化することができるため、ノーマルＢＢ遊技が開始されてから終了するまでの時間を短縮することができるのである。
また、本形態に係るスロットマシン10によれば、遊技メダル３枚のベットによりノーマルＢＢ遊技を行った場合における出玉率が、遊技メダル２枚のベットによりノーマルＢＢ遊技を行った場合における出玉率以上となるように設定されている。すなわち、遊技メダル２枚のベットよりも遊技メダル３枚のベットでノーマルＢＢ遊技を行うほうが、１回の遊技あたりに払い出される遊技メダルの枚数が多く、かつ、実際に獲得できる遊技メダルの枚数も多くなることが期待できる。したがって、遊技者に対して、積極的に遊技メダル３枚のベットでノーマルＢＢ遊技を行わせることができるため、より効果的に、ノーマルＢＢ遊技が開始されてから終了するまでの時間の短縮化を図ることができるのである。
【００９６】
さらに、１回の遊技あたりの出玉率が上述のような関係で設定されることから、遊技メダル２枚のベットにより遊技を行った場合における出玉率があまり高くならないように調整すれば、遊技メダル３枚のベットにより遊技を行った場合における出玉率はそれ以下に設定されるため、ノーマルＢＢ遊技の出玉率が高くなりすぎるのを適切に防止することができるのである。
また、本形態に係るスロットマシン10によれば、スーパーＢＢ遊技における１回の遊技を、遊技メダル２枚のベットにより行うと、主として、択一役としてのベル役を含む左ベル役、中ベル役又は右ベル役が抽選されるとともに、これらのうちのいずれかの役に当選したときは、操作態様報知手段210により、ベル役に対応する図柄46の組み合わせを所定の有効入賞ライン（上段ライン、第１変則ライン及び第２変則ライン）上に停止表示させるためのストップスイッチ19の操作順序が報知される。そして、報知された操作順序でストップスイッチ19を操作することにより、ベル役に対応する図柄46の組み合わせを所定の有効入賞ライン（上段ライン、第１変則ライン及び第２変則ライン）上に停止表示させることができる。したがって、遊技メダル１２枚の払い出しを安定して受けることができるため、スーパーＢＢ遊技も速やかに消化することができるのである。これにより、ノーマルＢＢ遊技及びスーパーＢＢ遊技のいずれにおいても、当該遊技を、より効果的かつ有利に消化するための適切なベット数で行うことができることとなる。
【００９７】
さらに、本形態に係るスロットマシン10によれば、単に最適ベットスイッチ16bを操作することで、各遊技に応じた適切なベット数分の遊技メダルがベットされる。すなわち、現時点の遊技の状態を意識して、遊技メダルのベットをする必要が無いため、極めてスムーズに遊技を進行させることができるのである。
（第２の実施の形態）
第２の実施の形態は、主に、入賞ライン、各回転リール40における図柄46の配列、役、役抽選テーブル83等が、上記第１の実施の形態と相違する。以下、第１の実施の形態との相違点を中心に説明する。
【００９８】
（入賞ライン）
本形態に係るスロットマシン10には、計５本の入賞ラインが形成されている。具体的には、これらの入賞ラインは、特に図示していないが、各回転リール40の上段の表示位置を一直線に結んだ上段ライン、各回転リール40の中段の表示位置を一直線に結んだ中段ライン、各回転リール40の下段の表示位置を一直線に結んだ下段ライン、左リール43の上段の表示位置と中リール44の中段の表示位置と右リール45の下段の表示位置とを一直線に結んだ右下がりライン、及び、左リール43の下段の表示位置と中リール44の中段の表示位置と右リール45の上段の表示位置とを一直線に結んだ右上がりラインから構成されている。
【００９９】
（図柄46の配列）
本形態に係るスロットマシン10では、各回転リール40の外周面に、図１５に示すように、「赤７」「青７」「ＢＡＲ」「プラム」「ベル」「赤チェリー」「青チェリー」「リプレイ」等の複数種類の図柄46が所定の配列で計２１個表示されている。
（役）
本形態に係るスロットマシン10では、第１の実施の形態と同様に、役として、小役と、リプレイ役と、ボーナス役とを備えており、小役として、択一役と非択一役とを備えている。
【０１００】
また、本形態に係るスロットマシン10では、択一役に当選した場合には、所定の操作タイミングでストップスイッチ19が操作されると、当該択一役に対応する図柄46の組み合わせが、いずれかの一の有効入賞ライン上に停止表示される。これに対して、所定の操作タイミングと異なる操作タイミングでストップスイッチ19が操作されると、当該択一役に対応する図柄46の組み合わせは、いずれの有効入賞ライン上にも停止表示されない。
また、非択一役に当選した場合には、いずれの操作タイミングでストップスイッチ19が操作されても、当該非択一役に対応する図柄46の組み合わせが、いずれか一の有効入賞ライン上に停止表示される。
【０１０１】
具体的には、小役としては、図１６に示すように、択一役としての赤７プラム役、択一役としての青７プラム役、択一役としてのＢＡＲプラム役、非択一役としてのプラム役、ベル役、赤チェリー役及び青チェリー役を備えている。
赤７プラム役は、「赤７」「プラム」「プラム」の図柄46の組み合わせに対応し、青７プラム役は、「青７」「プラム」「プラム」の図柄46の組み合わせに対応し、ＢＡＲプラム役は、「ＢＡＲ」「プラム」「プラム」の図柄46の組み合わせに対応し、プラム役は、「プラム」「プラム」「プラム」の図柄46の組み合わせに対応し、ベル役は、「ベル」「ベル」「ベル」の図柄46の組み合わせに対応し、赤チェリー役は、「ＡＮＹ」「赤チェリー」「ＡＮＹ」の図柄46の組み合わせに対応し、青チェリー役は、「ＡＮＹ」「青チェリー」「ＡＮＹ」の図柄46の組み合わせに対応する。
【０１０２】
なお、リプレイ役及びボーナス役は、第１の実施の形態と同様である。
（役抽選テーブル83）
本形態に係るスロットマシン10では、第１の実施の形態と同様に、役抽選テーブル83として、通常中テーブル83a、ＢＢ中２枚ベットテーブル83b、ＢＢ中３枚ベットテーブル83c、及び、内部中テーブル83dを備えている。
また、本形態に係るスロットマシン10では、通常中テーブル83aには、図１７に示すように、赤７ＢＢ役、青７ＢＢ役、非択一役としてのプラム役、ベル役、赤チェリー役、青チェリー役、択一役としての赤７プラム役、択一役としての青７プラム役、択一役としてのＢＡＲプラム役、及び、リプレイ役の当選領域と、ハズレ領域とが設けられている。
【０１０３】
また、ＢＢ中２枚ベットテーブル83b、ＢＢ中３枚ベットテーブル83c及び内部中テーブル83dにはいずれも、赤７ＢＢ役及び青７ＢＢ役の当選領域は設けられていないが、これら以外については通常中テーブル83aと同様の当選領域及びハズレ領域が設けられている（図１７参照）。
ここで、ＢＢ中２枚ベットテーブル83bにおいては、図１７に示すように、赤７プラム役の当選領域、青７プラム役の当選領域及びＢＡＲプラム役の当選領域が、全数値領域のほぼすべてを占めている。すなわち、ＢＢ中２枚ベットテーブル83bでは、赤７プラム役、青７プラム役又はＢＡＲプラム役のいずれかに当選したと判定される可能性が極めて高いものとなっている。換言すれば、ＢＢ中２枚ベットテーブル83bでは、主として、択一役としての赤７プラム役、青７プラム役又はＢＡＲプラム役が抽選されるように設定されている。
【０１０４】
なお、赤７プラム役の当選領域、青７プラム役の当選領域及びＢＡＲプラム役の当選領域はいずれも同じ大きさの領域となっている。すなわち、赤７プラム役、青７プラム役及びＢＡＲプラム役はいずれも、同じ確率で抽選されるように設定されている。
また、ＢＢ中３枚ベットテーブル83cにおいては、図１７に示すように、プラム役の当選領域が、全数値領域のほぼすべてを占めている。すなわち、ＢＢ中３枚ベットテーブル83cでは、プラム役の当選と判定される可能性が極めて高いものとなっている。換言すれば、ＢＢ中３枚ベットテーブル83cでは、主として、非択一役としてのプラム役が抽選されるように設定されている。
【０１０５】
（停止制御手段160）
本形態に係るスロットマシン10では、停止制御手段160は、役抽選により、赤７プラム役、青７プラム役又はＢＡＲプラム役に当選した場合において、当該当選した役に対応する図柄46の組み合わせを有効入賞ライン上に引き込むことが可能なタイミング（所定のタイミング）で、ストップスイッチ19が操作されたときに、当該当選した役に対応する図柄46の組み合わせが有効入賞ライン上に停止表示されるように、回転リール40を停止させる。そして、このときは、図１６に示すように、１５枚の遊技メダルが払い出される。
これに対して、前記タイミングとは異なるタイミング（すなわち、当選した役に対応する図柄46の組み合わせを有効入賞ライン上に引き込むことができないタイミング）でストップスイッチ19が操作されたときには、当選した役に対応する図柄46の組み合わせを有効入賞ライン上に停止表示させることなく、回転リール40を停止させる。そして、このときは、いずれの役に対応する図柄46の組み合わせも有効入賞ライン上に停止表示されないこととなるため、遊技メダルは払い出されない。
【０１０６】
（操作態様報知手段210）
本形態に係るスロットマシン10では、操作態様報知手段210は、スーパーＢＢ遊技中に、遊技メダル２枚のベットにより１回の遊技が行われた場合において、役抽選により、択一役としての赤７プラム役、青７プラム役又はＢＡＲプラム役に当選したときに、当該当選した役を遊技者に報知する。
ここで、当選した役を遊技者の報知するということは、当選した役に対応する図柄46の組み合わせを有効入賞ライン上に引き込むようなタイミングで、ストップスイッチ19を操作すべき旨を報知することを意味する。すなわち、本形態における操作態様報知手段210は、ストップスイッチ19を所定の操作タイミングで操作すべき旨を報知しているということもできる。
【０１０７】
（ノーマルＢＢ遊技及びスーパーＢＢ遊技における出玉率、平均遊技回数）
以下、本形態に係るスロットマシン10でのノーマルＢＢ遊技及びスーパーＢＢ遊技におけるベット数ごとの出玉率、平均遊技回数について説明する。
（１）ノーマルＢＢ遊技中、遊技メダル２枚ベットの場合
第１の実施の形態と同様に、ノーマルＢＢ遊技中の１回の遊技が遊技メダル２枚のベットにより行われる場合には、役抽選手段80による役抽選は、ＢＢ中２枚ベットテーブル83bを用いて行われる。そして、このＢＢ中２枚ベットテーブル83bでは、図１７に示すように、赤７プラム役の当選となる確率、青７プラム役の当選となる確率、及び、ＢＡＲプラム役の当選となる確率がいずれも、約１／３となるように設定されている。
【０１０８】
ここで、図１５に示すように、左リール43においては、「赤７」「青７」「ＢＡＲ」の図柄46が互いに４コマ以上の間隔を空けて配列されているため、これらの図柄46のうち、いずれか２個以上を同時に有効入賞ライン上に引き込むことはできない。そして、役抽選が行われても、表面上は上述の３つの当選のうちいずれの当選となっているかは分からず、さらに、ノーマルＢＢ遊技中は、操作態様報知手段210により、当選した役が報知されないことから、遊技者は勘に頼り（すなわち、ランダムに）、左リール43における「赤７」「青７」「ＢＡＲ」のいずれかを狙って、ストップスイッチ19を操作することとなる。
すると、ノーマルＢＢ遊技中の１回の遊技が遊技メダル２枚のベットにより行われる場合に、当選した役に対応する図柄46の組み合わせが有効入賞ライン上に停止表示されるようにストップスイッチ19が操作される確率は、約１／３（＝（１／３）×（１／３）＋（１／３）×（１／３）＋（１／３）×（１／３））となり、前記組み合わせが有効入賞ライン上に停止表示されないようにストップスイッチ19が操作される確率は、約２／３（＝（１／３）×（２／３）＋（１／３）×（２／３）＋（１／３）×（２／３））となる。
【０１０９】
したがって、ノーマルＢＢ遊技中の１回の遊技が、遊技メダル２枚のベットにより行われる場合には、約１／３の確率で遊技メダル１５枚の払い出しが行われ、約２／３の確率で遊技メダルの払い出しが行われないため、払い出される遊技メダルの枚数の期待値は、約５枚（＝１５×（１／３）＋０×（２／３））となる。
すると、この場合の出玉率は、約２５０％（＝５／２×１００）となり、平均遊技回数は、約６９回（＝３４５／５）となる。また、１回の遊技あたりに獲得できる遊技メダルの枚数の期待値は、約３枚（＝５−２）となるため、当該ノーマルＢＢ遊技中に獲得できる遊技メダルの総数の期待値は、約２０７枚（＝３×６９）となる。
【０１１０】
（２）ノーマルＢＢ遊技中、遊技メダル３枚ベットの場合
第１の実施の形態と同様に、ノーマルＢＢ遊技中の１回の遊技が遊技メダル３枚のベットにより行われる場合には、役抽選手段80による役抽選は、ＢＢ中３枚ベットテーブル83cを用いて行われる。そして、このＢＢ中３枚ベットテーブル83cでは、図１７に示すように、プラム役の当選となる確率がほぼ１００％となるように設定されている。
そして、非択一役としてのプラム役に対応する図柄46の組み合わせは、ストップスイッチ19の操作タイミングに関わらず、有効入賞ライン上に停止表示されるようになっている。また、前記図柄46の組み合わせが、有効入賞ライン上に停止表示されると、１０枚の遊技メダルが払い出される。
【０１１１】
したがって、ノーマルＢＢ遊技中の１回の遊技が、遊技メダル３枚のベットにより行われる場合には、ほぼ１００％の確率で遊技メダル１０枚の払い出しが行われるため、払い出される遊技メダルの枚数の期待値は約１０枚となり、出玉率は約３３３％（＝１０／３×１００）となり、平均遊技回数は、約３５回（＝３４５／１０）となる。また、１回の遊技あたりに獲得できる遊技メダルの枚数の期待値は、約７枚（＝１０−３）となるため、当該ノーマルＢＢ遊技中に獲得できる遊技メダルの総数の期待値は、約２４５枚（＝７×３５）となる。
このように、本形態に係るスロットマシン10でも、第２のベット数としての遊技メダル３枚は、第１のベット数としての遊技メダル２枚よりも多い。すなわち、第２のベット数は第１のベット数よりも大きい値に設定されている。さらに、遊技メダル３枚のベットによりノーマルＢＢ遊技を行った場合における出玉率（約３３３％）が、遊技メダル２枚のベットによりノーマルＢＢ遊技を行った場合における出玉率（約２５０％）以上となるように設定されている。
【０１１２】
そして、以上のように設定したことで、遊技メダル２枚のベットよりも遊技メダル３枚のベットでノーマルＢＢ遊技を行うほうが、獲得できる遊技メダルの総数の期待値が大きくなるとともに、ノーマルＢＢ遊技における平均遊技回数が極めて少なくなるため、ノーマルＢＢ遊技が終了するまでの時間を短縮化しつつ、多くの遊技メダルを獲得できることとなる。すなわち、本形態に係るスロットマシン10では、遊技メダル３枚が、ノーマルＢＢ遊技の１回の遊技を行うにあたっての最適なベット数であるといえる。
（３）スーパーＢＢ遊技中、遊技メダル２枚ベットの場合
第１の実施の形態と同様に、スーパーＢＢ遊技中の１回の遊技が遊技メダル２枚のベットにより行われる場合にも、役抽選手段80による役抽選は、ＢＢ中２枚ベットテーブル83bを用いて行われる。
【０１１３】
ここで、スーパーＢＢ遊技中の１回の遊技が遊技メダル２枚のベットにより行われる場合に、赤７プラム役、青７プラム役又はＢＡＲプラム役のいずれかに当選したときは、操作態様報知手段210により、当選した役が報知される。
したがって、報知された役に対応する図柄46の組み合わせを狙ってストップスイッチ19の操作が可能であることから、スーパーＢＢ遊技中の１回の遊技が、遊技メダル２枚のベットにより行われる場合には、ほぼ１００％の確率で遊技メダル１５枚の払い出しが行われ、払い出される遊技メダルの枚数の期待値は、約１５枚となる。
すると、この場合の出玉率は、約７５０％（＝１５／２×１００）となり、平均遊技回数は、約２３回（＝３４５／１５）となる。また、１回の遊技あたりに獲得できる遊技メダルの枚数の期待値は、約１３枚（＝１５−２）となるため、当該スーパーＢＢ遊技中に獲得できる遊技メダルの総数の期待値は、約２９９枚（＝１３×２３）となる。
【０１１４】
（４）スーパーＢＢ遊技中、遊技メダル３枚ベットの場合
この場合は、第１の実施の形態と同様に、ノーマルＢＢ遊技中の１回の遊技が遊技メダル３枚のベットにより行われる場合と全く同じである。
したがって、この場合の出玉率は、約３３３％（＝１０／３×１００）となり、平均遊技回数は、約３５回（＝３４５／１０）となる。また、１回の遊技あたりに獲得できる遊技メダルの枚数の期待値は、約７枚（＝１０−３）となるため、当該スーパーＢＢ遊技中に獲得できる遊技メダルの総数の期待値は、約２４５枚（＝７×３５）となる。
このように、本形態に係るスロットマシン10では、遊技メダル３枚のベットよりも遊技メダル２枚のベットでスーパーＢＢ遊技を行うほうが、獲得できる遊技メダルの総数の期待値が極めて大きくなる。すなわち、本形態に係るスロットマシン10では、遊技メダル２枚が、スーパーＢＢ遊技の１回の遊技を行うにあたっての最適なベット数であるといえる。
【０１１５】
（本形態に係るスロットマシン10の作用、効果）
本形態に係るスロットマシン10によっても、第１の実施の形態と同様の作用・効果を奏する。すなわち、ノーマルＢＢ遊技を速やかに消化することができるため、ノーマルＢＢ遊技が開始されてから終了するまでの時間を短縮することができる。また、遊技者に対して、積極的に遊技メダル３枚のベットでノーマルＢＢ遊技を行わせることができるため、より効果的に、ノーマルＢＢ遊技が開始されてから終了するまでの時間の短縮化を図ることができる。また、ノーマルＢＢ遊技の出玉率が高くなりすぎるのを適切に防止することができる。さらに、最適ベットスイッチ16bを用いれば、現時点の遊技の状態を意識して、遊技メダルのベットをする必要が無いため、極めてスムーズに遊技を進行させることができる。
【０１１６】
（変形例）
最適ベットスイッチ16bは、別個に設けるのではなく、他のスイッチと兼用するようにしてもよい。
たとえば、ベットスイッチとして、シングルベットスイッチ16aのみを設け、シングルベットスイッチ16aが所定時間（たとえば、１．５秒）以上操作し続けられた場合（いわゆる長押しされた場合）には、最適ベットスイッチ16bとして機能し、各遊技に応じた適切なベット数分の遊技メダルがベットされるものの、長押しされなかった場合には、シングルベットスイッチ16aとして機能し、遊技メダルが１枚ベットされるように形成することができる。また、ベットスイッチとして、マックスベットスイッチのみを設け、マックスベットスイッチが長押しされた場合には、最適ベットスイッチ16bとして機能し、各遊技に応じた適切なベット数分の遊技メダルがベットされるものの、長押しされなかった場合には、マックスベットスイッチとして機能し、遊技を開始するためにベット可能な最大枚数ベットされるように形成することができる。
【０１１７】
また、ベットスイッチ以外のスイッチ（スタートスイッチやストップスイッチ等）を所定の操作方法で操作した場合に、最適ベットスイッチ16bとして機能するように形成することもできる。
出玉率の設定は、択一役、非択一役に対応する遊技メダルの払い出し枚数を調整することで行うこともできるし、択一役に対応する図柄46の組み合わせが所定の有効入賞ライン上に停止表示される確率を調整することで行うこともできる。
たとえば、上記形態に係るスロットマシン10では、約１／３の確率で、択一役に対応する図柄46の組み合わせが所定の有効入賞ライン上に停止表示されるようになっていたが、この確率が１／６となるように設定（たとえば、６通りあるストップスイッチ19の操作順序のうち、いずれか一の操作順序でストップスイッチ19が操作された場合にのみ、停止表示されるように設定）すれば、出玉率は下がることとなる。
【０１１８】
上記形態に係るスロットマシン10は、ベットされている遊技メダルの枚数が最適なベット数でない場合には、ランプ32や画像表示装置34においてその旨を報知するように形成してもよい。
また、上記形態に係るスロットマシン10は、ノーマルＢＢ遊技において、最適なベット数である遊技メダル３枚のベットではなく、遊技メダル２枚のベットで１回の遊技が行われた遊技回数をカウントする不適ベットカウント手段を備え、この不適ベットカウント手段によりカウントされた値に応じて、スーパーＢＢ遊技又はノーマルＢＢ遊技の振り分け率が変更されるように形成してもよい。たとえば、不適ベットカウント手段によりカウントされた値が所定値（たとえば、１００）に達した場合には、遊技者の損失を救済すべく、スーパーＢＢ遊技に振り分けられる確率が高くなるように設定してもよい。
【０１１９】
また、上記形態に係るスロットマシン10は、不適ベットカウント手段によりカウントされた値に応じて、ノーマルＢＢ遊技においても所定回数、操作態様報知手段210による報知が行われるように形成してもよい。たとえば、不適ベットカウント手段によりカウントされた値が所定値（たとえば、１００）に達した場合には、遊技者の損失を救済すべく、ノーマルＢＢ遊技において所定回数、操作順序等を報知するように設定してもよい。
また、上記形態に係るスロットマシン10は、所定の期間（たとえば、所定回数の遊技が実行される間、所定回数の特別遊技が実行される間など）におけるノーマルＢＢ遊技の出玉率の平均値に応じて、スーパーＢＢ遊技又はノーマルＢＢ遊技の振り分け率が変更されるように形成してもよい。たとえば、前記平均値が所定の閾値を超過していた場合には、この後に当選する複数回のボーナス役では、ノーマルＢＢ遊技に振り分けられる確率が高くなるように設定してもよい。
【符号の説明】
【０１２０】
10  スロットマシン          16b 最適ベットスイッチ
18  スタートスイッチ        19  ストップスイッチ
40  回転リール              80  役抽選手段
160 停止制御手段            210 操作態様報知手段
【図１】
0005769338.tif 000002
【図２】
0005769338.tif 000003
【図３】
0005769338.tif 000004
【図４】
0005769338.tif 000005
【図５】
0005769338.tif 000006
【図６】
0005769338.tif 000007
【図７】
0005769338.tif 000008
【図８】
0005769338.tif 000009
【図９】
0005769338.tif 000010
【図１０】
0005769338.tif 000011
【図１１】
0005769338.tif 000012
【図１２】
0005769338.tif 000013
【図１３】
0005769338.tif 000014
【図１４】
0005769338.tif 000015
【図１５】
0005769338.tif 000016
【図１６】
0005769338.tif 000017
【図１７】
0005769338.tif 000018